(57)【要約】  将来の無線通信システムにおいて、上り制御チャネルを適切に送信する。ユーザ端末は、少なくとも１つの下りリンク割り当てを受信し、前記少なくとも１つの下りリンク割り当てにスケジュールされた少なくとも１つの下り共有チャネルを受信する受信部と、前記少なくとも１つの下り共有チャネルに対して動的な送達確認信号コードブックを用いることを設定されたか否か、前記少なくとも１つの下り共有チャネルに対する送達確認信号のビット数、前記少なくとも１つの下りリンク割り当てが１つの周波数リソースによって送信されるか否か、及び、各下り共有チャネルのコードワード数、の少なくとも１つに関連付けられた、上り制御チャネルフォーマット、前記送達確認信号のマッピング、の少なくとも１つを用いる前記送達確認信号の送信を制御する制御部と、を有する。
2019163138.tif 000002
【特許請求の範囲】
【請求項１】
少なくとも１つの下りリンク割り当てを受信し、前記少なくとも１つの下りリンク割り当てにスケジュールされた少なくとも１つの下り共有チャネルを受信する受信部と、
前記少なくとも１つの下り共有チャネルに対して動的な送達確認信号コードブックを用いることを設定されたか否か、前記少なくとも１つの下り共有チャネルに対する送達確認信号のビット数、前記少なくとも１つの下りリンク割り当てが１つの周波数リソースによって送信されるか否か、及び、各下り共有チャネルのコードワード数、の少なくとも１つに関連付けられた、上り制御チャネルフォーマット、前記送達確認信号のマッピング、の少なくとも１つを用いる前記送達確認信号の送信を制御する制御部と、を有することを特徴とするユーザ端末。
【請求項２】
前記マッピングにおいて、１ビットの送達確認信号の値０にマップされた巡回シフト及び複素値変調シンボルの少なくとも１つが、２ビットの送達確認信号の（０，０）にマップされた巡回シフト及び複素値変調シンボルの少なくとも１つと等しく、１ビットの送達確認信号の値１にマップされた巡回シフト及び複素値変調シンボルの少なくとも１つが、２ビットの送達確認信号の（１，０）にマップされた巡回シフト及び複素値変調シンボルの少なくとも１つと等しいことを特徴とする請求項１に記載のユーザ端末。
【請求項３】
前記マッピングにおいて、スケジューリング要求及び１ビットの送達確認信号の値０にマップされた巡回シフト及び複素値変調シンボルの少なくとも１つが、スケジューリング要求及び２ビットの送達確認信号の（０，０）にマップされた巡回シフト及び複素値変調シンボルの少なくとも１つと、が等しく、スケジューリング要求及び１ビットの送達確認信号の値１にマップされた巡回シフト及び複素値変調シンボルの少なくとも１つと、スケジューリング要求及び２ビットの送達確認信号の（１，０）にマップされた巡回シフト及び複素値変調シンボルの少なくとも１つと、が等しいことを特徴とする請求項１又は請求項２に記載のユーザ端末。
【請求項４】
前記制御部は、前記少なくとも１つの下り共有チャネルに対して動的な送達確認信号コードブックを用いることを設定されたか否か、前記少なくとも１つの下り共有チャネルに対する送達確認信号のビット数、前記少なくとも１つの下りリンク割り当てが１つの周波数リソースによって送信されるか否か、及び、各下り共有チャネルのコードワード数、の少なくとも１つに基づいて、前記上り制御チャネルフォーマット及び前記マッピングの少なくとも１つを決定することを特徴とする請求項１から請求項３のいずれかに記載のユーザ端末。
【請求項５】
前記少なくとも１つの下りリンク割り当てが、異なる時間リソースに割り当てられた複数の下り制御チャネルである場合、前記複数の下り制御チャネルのそれぞれに含まれるトータル下りリンク割り当て指示子は、前記複数の下り制御チャネルの数を示すことを特徴とする請求項１に記載のユーザ端末。
【請求項６】
少なくとも１つの下りリンク割り当てを受信し、前記少なくとも１つの下りリンク割り当てにスケジュールされた少なくとも１つの下り共有チャネルを受信する工程と、
前記少なくとも１つの下り共有チャネルに対して動的な送達確認信号コードブックを用いることを設定されたか否か、前記少なくとも１つの下り共有チャネルに対する送達確認信号のビット数、前記少なくとも１つの下りリンク割り当てが１つの周波数リソースによって送信されるか否か、及び、各下り共有チャネルの空間レイヤ数、の少なくとも１つに関連付けられた、上り制御チャネルフォーマット、前記送達確認信号のマッピング、の少なくとも１つを用いる前記送達確認信号の送信を制御する工程と、を有することを特徴とするユーザ端末の無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future  Radio  Access）、４Ｇ、５Ｇ、５Ｇ＋（plus）、ＮＲ（New  RAT）、ＬＴＥ  Ｒｅｌ．１４、１５以降、などともいう）も検討されている。【０００３】
既存のＬＴＥシステム（例えば、ＬＴＥ  Ｒｅｌ．８−１３）では、１ｍｓのサブフレーム（伝送時間間隔（ＴＴＩ：Transmission  Time  Interval）等ともいう）を用いて、下りリンク（ＤＬ：Downlink）及び／又は上りリンク（ＵＬ：Uplink）の通信が行われる。当該サブフレームは、チャネル符号化された１データパケットの送信時間単位であり、スケジューリング、リンクアダプテーション、再送制御（ＨＡＲＱ：Hybrid  Automatic  Repeat  reQuest）などの処理単位となる。【０００４】
また、既存のＬＴＥシステム（例えば、ＬＴＥ  Ｒｅｌ．８−１３）では、ユーザ端末は、上り制御チャネル（例えば、ＰＵＣＣＨ：Physical  Uplink  Control  Channel）又は上りデータチャネル（例えば、ＰＵＳＣＨ：Physical  Uplink  Shared  Channel）を用いて、上りリンク制御情報（ＵＣＩ：Uplink  Control  Information）を送信する。当該上り制御チャネルの構成（フォーマット）は、ＰＵＣＣＨフォーマット（ＰＦ：PUCCH  Format）等と呼ばれる。【０００５】
また、既存のＬＴＥシステムでは、ユーザ端末は、１ｍｓのＴＴＩ内でＵＬチャネルとＤＭＲＳ（Demodulation  Reference  Signal）とを多重して送信する。１ｍｓのＴＴＩ内では、同一のユーザ端末の異なるレイヤ（又は異なるユーザ端末）の複数のＤＭＲＳが巡回シフト（ＣＳ：Cyclic  Shift）及び／又は直交拡散符号（例えば、直交カバーコード（ＯＣＣ：Orthogonal  Cover  Code））を用いて、直交多重される。
【先行技術文献】
【非特許文献】
【０００６】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００７】
将来の無線通信システム（例えば、ＬＴＥ  Ｒｅｌ．１５以降、５Ｇ、５Ｇ＋、ＮＲなど）では、上り制御チャネル（例えば、ＰＵＣＣＨ）を用いてＵＣＩを送信する場合に、ＰＵＣＣＨが適切に送信されなければ、ＵＣＩがネットワーク（ＮＷ、無線基地局、ｇＮＢなど）によって正しく認識されないおそれがある。【０００８】
本発明はかかる点に鑑みてなされたものであり、上り制御チャネルを適切に送信するユーザ端末及び無線通信方法を提供することを目的の一つとする。
【課題を解決するための手段】
【０００９】
本発明の一態様に係るユーザ端末は、ユーザ端末は、少なくとも１つの下りリンク割り当てを受信し、前記少なくとも１つの下りリンク割り当てにスケジュールされた少なくとも１つの下り共有チャネルを受信する受信部と、前記少なくとも１つの下り共有チャネルに対して動的な送達確認信号コードブックを用いることを設定されたか否か、前記少なくとも１つの下り共有チャネルに対する送達確認信号のビット数、前記少なくとも１つの下りリンク割り当てが１つの周波数リソースによって送信されるか否か、及び、各下り共有チャネルのコードワード数、の少なくとも１つに関連付けられた、上り制御チャネルフォーマット、前記送達確認信号のマッピング、の少なくとも１つを用いる前記送達確認信号の送信を制御する制御部と、を有することを特徴とする。
【発明の効果】
【００１０】
本発明によれば、将来の無線通信システムにおいて、上り制御チャネルを適切に送信できる。
【図面の簡単な説明】
【００１１】
【図１】ＰＵＣＣＨリソースの割り当ての一例を示す図である。
【図２】ＰＦ０のためのＵＣＩの値とＣＳの第１マッピングの一例を示す図である。
【図３】ＰＦ０のための第１マッピングの位相回転の一例を示す図である。
【図４】２つの周波数リソースにそれぞれ割り当てられた２つのＰＤＣＣＨにおけるＤＡＩの一例を示す図である。
【図５】２つの時間リソースにそれぞれ割り当てられた２つのＰＤＣＣＨにおけるＤＡＩの一例を示す図である。
【図６】１つのＰＤＣＣＨにおけるＤＡＩの一例を示す図である。
【図７】ＰＦ０のためのＵＣＩの値とＣＳの第２マッピングの一例を示す図である。
【図８】ＰＦ０のための第２マッピングの位相回転の一例を示す図である。
【図９】ＰＦ０のためのＵＣＩの値とＣＳの第３マッピングの一例を示す図である。
【図１０】ＰＦ０のための第３マッピングの位相回転の一例を示す図である。
【図１１】本実施の形態に係る無線通信システムの概略構成の一例を示す図である。
【図１２】本実施の形態に係る無線基地局の全体構成の一例を示す図である。
【図１３】本実施の形態に係る無線基地局の機能構成の一例を示す図である。
【図１４】本実施の形態に係るユーザ端末の全体構成の一例を示す図である。
【図１５】本実施の形態に係るユーザ端末の機能構成の一例を示す図である。
【図１６】本実施の形態に係る無線基地局及びユーザ端末のハードウェア構成の一例を示す図である。
【発明を実施するための形態】
【００１２】
将来の無線通信システム（例えば、ＬＴＥ  Ｒｅｌ．１５以降、５Ｇ、ＮＲなど）では、ＵＣＩの送信に用いられる上り制御チャネル（例えば、ＰＵＣＣＨ）用の構成（フォーマット、ＰＵＣＣＨフォーマット（ＰＦ）等ともいう）が検討されている。例えば、ＬＴＥ  Ｒｅｌ．１５では、５種類のＰＦ０〜４をサポートすることが検討されている。なお、以下に示すＰＦの名称は例示にすぎず、異なる名称が用いられてもよい。
【００１３】
例えば、ＰＦ０及び１は、２ビット以下（up  to  2  bits）のＵＣＩ（例えば、送達確認情報（ＨＡＲＱ−ＡＣＫ：Hybrid  Automatic  Repeat  reQuest−Acknowledge、ＡＣＫ又はＮＡＣＫ等ともいう）の送信に用いられるＰＦである。ＰＦ０は、１又は２シンボルに割り当て可能であるため、ショートＰＵＣＣＨ又はシーケンスベース（sequence-based）ショートＰＵＣＣＨ等とも呼ばれる。一方、ＰＦ１は、４−１４シンボルに割り当て可能であるため、ロングＰＵＣＣＨ等とも呼ばれる。ＰＦ１では、巡回シフト（ＣＳ：Cyclic  Shift）及び直交系列（例えば、ＯＣＣ（Orthogonal  Cover  Code）、時間領域ＯＣＣ（time  domain  OCC）））の少なくとも一つを用いた時間領域のブロック拡散（block-wise  spreading）によって、同一のリソースブロック（物理リソースブロック（ＰＲＢ：Physical  Resource  Block））内で複数のユーザ端末が符号分割多重（ＣＤＭ）されてもよい。
【００１４】
ＰＦ２−４は、２ビットを超える（more  than  2  bits）ＵＣＩ（例えば、チャネル状態情報（ＣＳＩ：Channel  State  Information）（又は、ＣＳＩとＨＡＲＱ−ＡＣＫ及び／又はスケジューリング要求（ＳＲ）））の送信に用いられるＰＦである。ＰＦ２は、１又は２シンボルに割り当て可能であるため、ショートＰＵＣＣＨ等とも呼ばれる。一方、ＰＦ３、４は、４−１４シンボルに割り当て可能であるため、ロングＰＵＣＣＨ等とも呼ばれる。ＰＦ４では、直交系列（例えば、ＯＣＣ、pre-DFT  OCC、周波数領域ＯＣＣ）を用いて、ＤＦＴ前の（周波数領域）のブロック拡散を用いて複数のユーザ端末のＵＣＩがＣＤＭされてもよい。ＰＦ４では、復調用参照信号（Demodulation  Reference  Signal：ＤＭＲＳ）を用いて、ＤＦＴ前の（周波数領域）のブロック拡散を用いて複数のユーザ端末のＵＣＩがＣＤＭされてもよい。
【００１５】
当該上り制御チャネルの送信に用いられるリソース（例えば、ＰＵＣＣＨリソース）の割り当て（allocation）は、上位レイヤシグナリング及び／又は下り制御情報（ＤＣＩ）を用いて行われる。ここで、上位レイヤシグナリングは、例えば、ＲＲＣ（Radio  Resource  Control）シグナリング、システム情報（例えば、ＲＭＳＩ：Remaining  Minimum  System  Information、ＯＳＩ：Other  system  information、ＭＩＢ：Master  Information  Block、ＳＩＢ：System  Information  Blockの少なくとも一つ）、ブロードキャスト情報（ＰＢＣＨ：Physical  Broadcast  Channel）の少なくとも一つであればよい。
【００１６】
具体的には、ユーザ端末に対しては、一以上のＰＵＣＣＨリソースをそれぞれ含む一以上のセット（ＰＵＣＣＨリソースセット）が上位レイヤシグナリングにより通知（設定（configure））される。例えば、ユーザ端末に対して、Ｋ（例えば、１≦Ｋ≦４）個のＰＵＣＣＨリソースセットがネットワーク（ＮＷ、無線基地局、ｇＮＢなど）から通知されてもよい。各ＰＵＣＣＨリソースセットは、Ｍ（例えば、４≦Ｍ≦８）個のＰＵＣＣＨリソースを含んでもよい。
【００１７】
ユーザ端末は、ＵＣＩのペイロードサイズ（ＵＣＩペイロードサイズ）に基づいて、設定されたＫ個のＰＵＣＣＨリソースセットから単一のＰＵＣＣＨリソースセットを決定してもよい。ＵＣＩペイロードサイズは、巡回冗長検査（ＣＲＣ：Cyclic  Redundancy  Code）ビットを含まないＵＣＩのビット数であってもよい。
【００１８】
ユーザ端末は、決定されたＰＵＣＣＨリソースセットに含まれるＭ個のＰＵＣＣＨリソースから、ＤＣＩ及び黙示的な（implicit）情報（黙示的指示（implicit  indication）情報、黙示的インデックス又は暗示的（implicit）インデックス等ともいう）の少なくとも一つに基づいて、ＵＣＩの送信に用いるＰＵＣＣＨリソースを決定してもよい。
【００１９】
図１は、ＰＵＣＣＨリソースの割り当ての一例を示す図である。図１では、一例として、Ｋ＝４であり、４個のＰＵＣＣＨリソースセット＃０−＃３が無線基地局からユーザ端末に上位レイヤシグナリングにより設定（configure）されるものとする。また、ＰＵＣＣＨリソースセット＃０−＃３は、それぞれ、Ｍ（例えば、４≦Ｍ≦８）個のＰＵＣＣＨリソース＃０−＃Ｍ−１を含むものとする。なお、各ＰＵＣＣＨリソースセットが含むＰＵＣＣＨリソースの数は、同一であってもよいし、異なってもよい。
【００２０】
図１において、ユーザ端末に設定される各ＰＵＣＣＨリソースは、以下の少なくとも一つのパラメータ（フィールド又は情報等ともいう）の値を含んでもよい。なお、各パラメータには、ＰＵＣＣＨフォーマット毎にとり得る値の範囲が定められてもよい。
・ＰＵＣＣＨの割り当てが開始されるシンボル（開始シンボル、最初のシンボル）
・スロット内でＰＵＣＣＨに割り当てられるシンボル数（ＰＵＣＣＨに割り当てられる期間）
・ＰＵＣＣＨの割り当てが開始されるリソースブロック（開始ＰＲＢ、最初（最低）のＰＲＢ）のインデックス（例えばPUCCH-starting-PRB）
・ＰＵＣＣＨに割り当てられるＰＲＢの数（例えば、ＰＦ２又は３用）
・ＰＵＣＣＨリソースに対する周波数ホッピングが有効（enabled）である無効（disabled）であるか（例えばPUCCH-frequency-hopping）
・周波数ホッピング後（第２ホップ）の周波数リソース（例えば、第２ホップにおける開始ＰＲＢ又は最初（最低）のＰＲＢのインデックス、PUCCH-2nd-hop-PRB）
・初期巡回シフト（ＣＳ）のインデックス（例えば、ＰＦ０又は１用）
・時間領域（time-domain）における直交系列（例えば、時間領域ＯＣＣ）のインデックス（例えば、ＰＦ１用）
・離散フーリエ変換（ＤＦＴ）前のブロック拡散（block-wise  spreading）に用いられる直交系列（例えば、Pre-DFT  OCC）の長さ（Pre-DFT  OCC長、拡散率等ともいう）（例えば、ＰＦ４用）
・ＤＦＴ前のブロック拡散に用いられる直交系列（例えば、Pre-DFT  OCC）のインデックス（例えば、ＰＦ４用）
【００２１】
図１に示すように、ユーザ端末に対してＰＵＣＣＨリソースセット＃０〜＃３が設定される場合、ユーザ端末は、ＵＣＩペイロードサイズに基づいていずれかのＰＵＣＣＨリソースセットを選択する。
【００２２】
例えば、ＵＣＩペイロードサイズが１又は２ビットである場合、ＰＵＣＣＨリソースセット＃０が選択される。また、ＵＣＩペイロードサイズが３ビット以上Ｎ２−１ビット以下である場合、ＰＵＣＣＨリソースセット＃１が選択される。また、ＵＣＩペイロードサイズがＮ２ビット以上Ｎ３−１ビット以下である場合、ＰＵＣＣＨリソースセット＃２が選択される。同様に、ＵＣＩペイロードサイズがＮ３ビット以上Ｎ３−１ビット以下である場合、ＰＵＣＣＨリソースセット＃３が選択される。
【００２３】
このように、ＰＵＣＣＨリソースセット＃ｉ（ｉ＝０，…，Ｋ−１）が選択されるＵＣＩペイロードサイズの範囲は、Ｎｉビット以上Ｎｉ＋１−１ビット以下（すなわち、｛Ｎｉ，…，Ｎｉ＋１−１｝ビット）と示される。
【００２４】
ここで、ＰＵＣＣＨリソースセット＃０、＃１用のＵＣＩペイロードサイズの開始位置（開始ビット数）Ｎ０、Ｎ１は、それぞれ、１、３であってもよい。これにより、２ビット以下のＵＣＩを送信する場合にＰＵＣＣＨリソースセット＃０が選択されるので、ＰＵＣＣＨリソースセット＃０は、ＰＦ０及びＰＦ１の少なくとも一つ用のＰＵＣＣＨリソース＃０〜＃Ｍ−１を含んでもよい。一方、２ビットを超えるＵＣＩを送信する場合にはＰＵＣＣＨリソースセット＃１〜＃３のいずれかが選択されるので、ＰＵＣＣＨリソースセット＃１〜＃３は、それぞれ、ＰＦ２、ＰＦ３及びＰＦ１の少なくとも一つ用のＰＵＣＣＨリソース＃０〜＃Ｍ−１を含んでもよい。
【００２５】
ｉ＝２，…,Ｋ−１である場合、ＰＵＣＣＨリソースセット＃ｉ用のＵＣＩのペイロードサイズの開始位置（Ｎｉ）を示す情報（開始位置情報）は、上位レイヤシグナリングを用いてユーザ端末に通知（設定）されてもよい。当該開始位置（Ｎｉ）は、ユーザ端末固有であってもよい。例えば、当該開始位置（Ｎｉ）は、４ビット以上２５６以下の範囲の値（例えば、４の倍数）に設定されてもよい。例えば、図１では、ＰＵＣＣＨリソースセット＃２、＃３用のＵＣＩペイロードサイズの開始位置（Ｎ２、Ｎ３）を示す情報が、それぞれ、上位レイヤシグナリング（例えば、ユーザ固有のＲＲＣシグナリング）がユーザ端末に通知される。
【００２６】
各ＰＵＣＣＨリソースセットのＵＣＩの最大のペイロードサイズは、ＮＫ−１で与えられる。ＮＫは、上位レイヤシグナリング及び／又はＤＣＩにより明示的にユーザ端末に通知（設定）されてもよいし、黙示的に導出されてもよい。例えば、図１では、Ｎ0＝１、Ｎ1＝３は仕様で規定されていて、Ｎ2とＮ3が上位レイヤシグナリングで通知されてもよい。また、Ｎ4は、仕様で規定されていてもよい（例えば、Ｎ4=1000）。
【００２７】
図１に示す場合、ユーザ端末は、ＵＣＩペイロードサイズに基づいて選択されるＰＵＣＣＨリソースセットに含まれるＰＵＣＣＨリソース＃０〜＃Ｍ−１の中から、ＤＣＩの所定フィールドの値、及び／又は他のパラメータに基づいて、ＵＣＩの送信に用いる単一のＰＵＣＣＨリソースを決定できる。例えば、当該所定フィールドのビット数が２ビットである場合、４種類のＰＵＣＣＨリソースを指定可能である。他のパラメータは、ＣＣＥインデックスであってもよい。例えば、ＰＵＣＣＨリソースは、２ビットのＤＣＩと他のパラメータとの組み合わせに関連付けられてもよいし、３ビットのＤＣＩに関連付けられてもよい。
【００２８】
例えば、ＵＣＩがＨＡＲＱ−ＡＣＫである場合、ユーザ端末（User  Equipment：ＵＥ）は、上位レイヤによって設定された複数のＰＵＣＣＨリソースセットからＵＣＩペイロードサイズによって１つを決定し、決定されたＰＵＣＣＨリソースセットからＤＣＩ及び／又は他のパラメータに基づいて、１つのＰＵＣＣＨリソースを決定してもよい。上記ＰＵＣＣＨリソースセットを用いたＰＵＣＣＨリソースの通知方法は、ＵＣＩがＨＡＲＱ−ＡＣＫと他のＵＣＩ（例えば、ＣＳＩ及び／又はＳＲ）を符号化して同時に送信する場合にも用いられてもよい。
【００２９】
一方、ＵＣＩにＨＡＲＱ−ＡＣＫが含まれない場合、ＰＵＣＣＨリソースセットを用いずにＰＵＣＣＨリソースが通知されてもよい。例えば、ＵＣＩがＣＳＩ及び／又はＳＲである場合、ＵＥは、上位レイヤによってセミスタティックに設定されたＰＵＣＣＨリソースを用いてもよい。
【００３０】
また、ＮＲでは、ユーザ端末がＨＡＲＱ−ＡＣＫサイズ（ＨＡＲＱ−ＡＣＫコードブック）を準静的（semi-static）又は動的（dynamic）に決定してＰＵＣＣＨを利用したＨＡＲＱ−ＡＣＫ送信を行うことが検討されている。例えば、基地局がＵＥに対して、ＨＡＲＱ−ＡＣＫコードブックの決定方法を上位レイヤシグナリングで通知する。
【００３１】
ＵＥは、ＨＡＲＱ−ＡＣＫコードブックを準静的に決定するモードが設定された場合（例えば、タイプ１と判定された場合）、上位レイヤシグナリングで設定される構成に基づいてＨＡＲＱ−ＡＣＫのビット数等を決定する。上位レイヤシグナリングで設定される構成（higher-layer  configuration）は、例えば、ＨＡＲＱ−ＡＣＫのフィードバックタイミングに関連付けられた範囲にわたってスケジューリングされるＤＬ送信（例えば、ＰＤＳＣＨ）の最大数であってもよい。
【００３２】
ＨＡＲＱ−ＡＣＫのフィードバックタイミングに関連付けられた範囲は、空間（space）、時間（time）及び周波数(freq)の少なくとも一つ（例えば、全部）に相当する。また、ＨＡＲＱ−ＡＣＫのフィードバックタイミングに関連付けられた範囲は、ＨＡＲＱ−ＡＣＫバンドリングウィンドウ、ＨＡＲＱ−ＡＣＫフィードバックウィンドウ、バンドリングウィンドウ又はフィードバックウィンドウとも呼ばれる。
【００３３】
一方で、ＵＥは、ＨＡＲＱ−ＡＣＫコードブックを動的に決定するモードが設定された場合（例えば、タイプ２と判定された場合）、下り制御情報（例えば、DL  assignment）に含まれるＤＬ割当てインデックス（ＤＡＩ：Downlink  Assignment  Indicator（Index））フィールドで指定されるビットに基づいてＨＡＲＱ−ＡＣＫビット数等を決定してもよい。
【００３４】
また、ＮＲでは、ＨＡＲＱ−ＡＣＫの送信に利用する上り制御チャネル構成（ＰＵＣＣＨフォーマット）として、所定ビット数以下のＵＣＩ送信に利用するＰＵＣＣＨフォーマットと、所定ビット数より大きいＵＣＩの送信に利用するＰＵＣＣＨフォーマットがサポートされる。所定ビット数以下（例えば、２ビット以下（up  to  2bits））のＵＣＩ送信に利用するＰＵＣＣＨフォーマットは、ＰＵＣＣＨフォーマット０又はＰＵＣＣＨフォーマット１（ＰＦ０、ＰＦ１）と呼ばれてもよい。所定ビット数より大きい（例えば、２ビットより大きい（more  than  2bits））ＵＣＩの送信に利用するＰＵＣＣＨフォーマットは、ＰＵＣＣＨフォーマット２−４（ＰＦ２、ＰＦ３、ＰＦ４）と呼ばれてもよい。
【００３５】
ＰＦ０として、系列長が１２である系列がＰＲＢ（Physical  Resource  Block）内の連続する１２ＲＥ（Resource  Element）にマッピングされることが検討されている。系列長が２４、４８である系列が用いられてもよい。ＰＦ０の系列と他の系列とがＣＤＭ（ＣＤＭ：Code  Division  Multiplexing）又はＦＤＭを用いて多重されてもよい。ＰＦ０の系列は、基準系列に巡回シフト（Cyclic  Shift：ＣＳ、位相回転）が適用される。
【００３６】
基準系列は、Zadoff-Chu系列等のＣＡＺＡＣ（Constant  Amplitude  Zero  Auto-Correlation）系列（例えば、低ＰＡＰＲ（peak-to-average  power  ratio：ピーク対平均電力比）系列）であってもよいし、仕様によって規定された系列（例えば、低ＰＡＰＲ系列、テーブルで与えられる系列）であってもよいし、ＣＡＺＡＣ系列に準ずる系列（ＣＧ−ＣＡＺＡＣ（computer  generated  CAZAC）系列）であってもよい。例えば、帯域幅が１ＰＲＢであるＰＵＣＣＨは、仕様によって規定された所定数（例えば、３０個でもよいし、６０個でもよいし、基準系列長から定まる所定値でもよい）の系列の１つを基準系列として用いてもよい。基準系列は、ＵＣＩに用いられてもよいし、ＤＭＲＳに用いられてもよい。
【００３７】
ＰＦ０のＰＵＣＣＨが、ＣＳを用いて、２ビットのＵＣＩを送信する場合について説明する。ＣＳは、位相回転量によって表されてもよいため、位相回転量と言い換えられてもよい。１つのＵＥに割り当てられるＣＳの複数の候補（ＣＳ候補）を、ＣＳ候補セット（ＣＳ量セット、ＣＳ量パターン、位相回転量候補セット、位相回転量パターン）と呼ぶ。
【００３８】
基準系列の系列長は、サブキャリア数ＭとＰＲＢ（Physical  Resource  Block）数とによって定まる。１ＰＲＢの帯域を用いてＰＦ０のＰＵＣＣＨを送信する場合、基準系列の系列長は１２（＝１２×１）である。この場合、２π／１２（すなわち、π／６）の位相間隔を持つ１２の位相回転量α０−α１１（ＣＳ０−１１）が定義される。１つの基準系列を位相回転量α０−α１１を用いてそれぞれ位相回転（巡回シフト）させることにより得られる１２個の系列は、互いに直交する（相互相関が０となる）。なお、位相回転量α０−α１１は、サブキャリア数Ｍ、ＰＲＢ数、基準系列の系列長の少なくとも１つに基づいて定義されればよい。ＣＳ候補セットは、当該位相回転量（巡回シフト）α０−α１１の中から選択される２以上の位相回転量を含んでもよい。当該位相回転量のインデックス０−１１は、ＣＳ（ＣＳインデックス）と呼ばれてもよい。
【００３９】
ＰＦ０のＰＵＣＣＨは、ＨＡＲＱ−ＡＣＫ（ＡＣＫ／ＮＡＣＫ、Ａ／Ｎ）、ＣＳＩ、ＳＲの少なくともいずれかを含むＵＣＩを通知する。
【００４０】
例えば、ＵＣＩがＨＡＲＱ−ＡＣＫを示す１ビットである場合、ＵＣＩ値０、１はそれぞれ、「ＮＡＣＫ」（否定応答）、「ＡＣＫ」（肯定応答）に対応してもよい。例えば、ＵＣＩがＨＡＲＱ−ＡＣＫを示す２ビットである場合、ＵＣＩ値００、０１、１１、１０はそれぞれ、「ＮＡＣＫ−ＮＡＣＫ」、「ＮＡＣＫ−ＡＣＫ」、「ＡＣＫ−ＡＣＫ」、「ＡＣＫ−ＮＡＣＫ」に対応してもよい。
【００４１】
例えば、ＵＣＩが２ビットである場合、ＵＥは、２ビットのＵＣＩの４つの候補（ＵＣＩ候補、候補値）のうち、送信する値に対応するＣＳを適用した信号を、与えられた時間／周波数リソースを用いて送信する。時間／周波数リソースは、時間リソース（例えば、シンボルなど）及び／又は周波数リソース（例えば、ＰＲＢなど）である。
【００４２】
ＵＥは、ＰＦ０のＰＵＣＣＨのための送信信号生成処理は、系列長Ｍの基準系列Ｘ０−ＸＭ−１を、選択された位相回転量（ＣＳ）を用いて位相回転（巡回シフト）させ、位相回転された基準系列を、ＣＰ−ＯＦＤＭ（Cyclic  Prefix−Orthogonal  Frequency  Division  Multiplexing）送信機又はＤＦＴ−Ｓ−ＯＦＤＭ（Discrete  Fourier  Transform−Spread−Orthogonal  Frequency  Division  Multiplexing）送信機へ入力する。ＵＥは、ＣＰ−ＯＦＤＭ送信機又はＤＦＴ−Ｓ−ＯＦＤＭ送信機からの出力信号を送信する。
【００４３】
次に、ＰＦ０のＰＵＣＣＨにより通知されるＵＣＩの復号について説明する。ここでは、位相回転量の選択によりＵＣＩを通知する場合の受信判定動作について説明するが、他の種類のリソース（例えば、基準系列、時間／周波数リソース）又は複数の種類のリソースの組み合わせの選択によりＵＣＩを通知する場合であっても同様である。
【００４４】
ＮＷは、受信した信号から、最尤検出（ＭＬＤ：Maximum  Likelihood  Detection、又は、相関検出と呼ばれてもよい）を用いてＵＣＩを判定してもよい。具体的には、ネットワークは、ユーザ端末に割り当てられた各位相回転量のレプリカ（位相回転量レプリカ）を生成し（例えば、ＵＣＩペイロード長が２ビットである場合、４パターンの位相回転量レプリカを生成する）、基準系列と位相回転量レプリカを用いてユーザ端末と同様に送信信号波形を生成してもよい。また、ネットワークは、得られた送信信号波形とユーザ端末から受信した受信信号波形との相関を、全ての位相回転量レプリカに対して計算し、最も相関の高い位相回転量レプリカが送信されたと推定してもよい。
【００４５】
より具体的には、ネットワークは、サイズＭのＤＦＴ後の受信信号系列（Ｍ個の複素数系列）の各要素に対して、送信信号の基準系列に位相回転量レプリカの位相回転を施すことにより得た送信信号系列（Ｍ個の複素数系列）の複素共役を掛け算し、得られたＭ個の系列の合計の絶対値（或いは、絶対値の二乗）が最大になる位相回転量レプリカが送られたと想定してもよい。
【００４６】
または、ネットワークは、位相回転量の最大割り当て数（１ＰＲＢなら１２個）分の送信信号レプリカを生成して、上記のＭＬＤと同様の動作で、最も受信信号との相関の高い位相回転量を推定してもよい。割り当てた位相回転量以外の位相回転量が推定された場合、割り当てた位相回転量の中で推定された位相回転量と最も近い位相回転量が送信されたと推定してよい。
【００４７】
ＰＦ０のＰＵＣＣＨによって送信されるＵＣＩの複数の値にＣＳが関連付けられる。ＵＥは、送信することになるＵＣＩの値に対応するＣＳを、初期ＣＳに加え、得られるＣＳを基準系列に適用する。
【００４８】
ＰＦ０のためのＵＣＩの値とＣＳの関連付け（マッピング）として、次の第１マッピングが検討されている。
【００４９】
図２Ａ、図３Ａに示すように、ＰＦ０において、１ビットＨＡＲＱ−ＡＣＫ値０、１に対し、巡回シフト０、６がそれぞれ関連付けられ（マップされ）てもよい。
【００５０】
図２Ｂ、図３Ｂに示すように、ＰＦ０に対し、２ビットＨＡＲＱ−ＡＣＫ値｛０、０｝、｛０、１｝、｛１、１｝、｛１、０｝に対し、巡回シフト０、３、６、９がそれぞれ関連付けられてもよい。
【００５１】
図２Ｃ、図３Ａに示すように、ＰＦ０において、肯定ＳＲを伴う１ビットＨＡＲＱ−ＡＣＫの値０、１に対し、巡回シフト３、９がそれぞれ関連付けられてもよい。
【００５２】
図２Ｄ、図３Ｂに示すように、ＰＦ０において、肯定ＳＲを伴う２ビットＨＡＲＱ−ＡＣＫ値｛０、０｝、｛０、１｝、｛１、１｝、｛１、０｝に対し、巡回シフト１、４、７、１０がそれぞれ関連付けられてもよい。
【００５３】
また、ＨＡＲＱ−ＡＣＫを含まずＳＲのみを示すＵＣＩの値は、ＨＡＲＱ−ＡＣＫのみのＣＳと異なるＣＳに関連付けられてもよい。
【００５４】
ＰＦ１のためのＵＣＩのビット値と複素値変調シンボル（complex-valued  modulation  symbol）の関連付け（マッピング）として、次の第１マッピングが検討されている。
【００５５】
ＰＦ１のＵＣＩが１ビットである場合、ＵＣＩの値ｂ（ｉ）に対応する複素値変調シンボルｘは、次の式によって与えられる。
【数１】
2019163138.tif 000003
【００５６】
ＰＦ１のＵＣＩが２ビットである場合、ＵＣＩの値ｂ（ｉ）に対応する複素値変調シンボルｘは、次の式によって与えられる。
【数２】
2019163138.tif 000004
【００５７】
すなわち、１ビット値ｂ（０）である０、１に対し、２つの複素値変調シンボルｘとして（１＋ｊ）／ｓｑｒｔ（２）、（−１−ｊ）／ｓｑｒｔ（２）がそれぞれ関連付けられ、ＰＦ１に対し、２ビット値｛ｂ（０）、ｂ（１）｝である｛０、０｝、｛０、１｝、｛１、１｝、｛１、０｝に対し、４つの複素値変調シンボルｘとして、（１＋ｊ）／ｓｑｒｔ（２）、（１−ｊ）／ｓｑｒｔ（２）、（−１＋ｊ）／ｓｑｒｔ（２）、（−１−ｊ）／ｓｑｒｔ（２）がそれぞれ関連付けられてもよい。ここで、ｓｑｒｔ（２）は２の平方根を示す。ＵＥは、ＨＡＲＱ−ＡＣＫ用のＰＵＣＣＨリソースと、ＳＲ用のＰＵＣＣＨリソースを設定されてもよい。ＵＥは、肯定ＳＲを伴わないＨＡＲＱ−ＡＣＫを送信する場合、ＨＡＲＱ−ＡＣＫ用のＰＵＣＣＨリソースを用いて、２ビットＨＡＲＱ−ＡＣＫを示す複素値変調シンボルを送信する。ＵＥは、肯定ＳＲを伴うＨＡＲＱ−ＡＣＫを送信する場合、ＳＲ用のＰＵＣＣＨリソースを用いて、２ビットＨＡＲＱ−ＡＣＫを示す複素値変調シンボルを送信する。ＮＷは、２つのＰＵＣＣＨリソースのうち、いずれのＰＵＣＣＨリソースが用いられたかによって、ＳＲの有無を認識してもよい。
【００５８】
それぞれがＤＬ割り当てを含む２つのＰＤＣＣＨが送信される場合のＨＡＲＱ−ＡＣＫの問題について説明する。
【００５９】
２よりも多い（３以上の）ＰＤＣＣＨが送信される場合、それらのＰＤＣＣＨによってスケジュールされた２よりも多いＰＤＳＣＨに対するＨＡＲＱ−ＡＣＫは、ＰＦ２、ＰＦ３、又はＰＦ４が用いて送信される。したがって、ＮＷは、ＨＡＲＱ−ＡＣＫを正しく認識できる。
【００６０】
ＵＥが準静的ＨＡＲＱ−ＡＣＫコードブックを用いることを設定され、それぞれがＤＬ割り当てを含む２つのＰＤＣＣＨが送信される（割り当てられる）場合、ＵＥは、２つのＰＤＣＣＨの１つの検出に失敗した場合であっても、２つのＰＤＣＣＨが送信されたことと、いずれのＰＤＣＣＨの検出に失敗したかと、を認識できるため、２ビットＨＡＲＱ−ＡＣＫを送信する。したがって、ＮＷは、２ビットＨＡＲＱ−ＡＣＫを正しく認識できる。
【００６１】
ＵＥが動的ＨＡＲＱ−ＡＣＫコードブックを用いることを設定され、１よりも多い（２以上の）サービングセル及び／又はＣＣにおいて、それぞれがＤＬ割り当てを含む２つのＰＤＣＣＨが送信される（割り当てられる）場合、ＵＥは、２つのＰＤＣＣＨの１つの検出に失敗した場合であっても、２つのＰＤＣＣＨが送信されたことと、いずれのＰＤＣＣＨの検出に失敗したかと、を、ＤＡＩ（Downlink  Assignment  Indicator）によって認識できるため、２ビットＨＡＲＱ−ＡＣＫを送信する。したがって、ＮＷは、２ビットＨＡＲＱ−ＡＣＫを正しく認識できる。
【００６２】
ＵＥが動的ＨＡＲＱ−ＡＣＫコードブックを用いることを設定され、１つのサービングセル及び／又はＣＣにおいて、それぞれがＤＬ割り当てを含む２つのＰＤＣＣＨが送信され（割り当てられ）、ＮＷが２つのＰＤＣＣＨに基づく２ビットＨＡＲＱ−ＡＣＫの受信を想定する場合について説明する。この場合の２つのＰＤＣＣＨは、異なるスロット又はシンボルにおいて送信される。
【００６３】
ＵＥが、２つのＰＤＣＣＨのうち１番目のＰＤＣＣＨの検出に失敗した場合、ＵＥは、２つのＰＤＣＣＨが送信されたことと、１番目のＰＤＣＣＨの検出に失敗したことと、を、ＤＡＩによって認識できるため、２ビットＨＡＲＱ−ＡＣＫを送信する。
【００６４】
しかしながら、ＵＥが、２つのＰＤＣＣＨのうち２番目のＰＤＣＣＨの検出に失敗した場合、ＵＥは、２つのＰＤＣＣＨが送信されたことと、２番目のＰＤＣＣＨの検出に失敗したことと、を、ＤＡＩによって認識できないため、１ビットＨＡＲＱ−ＡＣＫを送信する。ＮＷは、２ビットＨＡＲＱ−ＡＣＫの受信を想定するため、ＨＡＲＱ−ＡＣＫを誤って解釈する場合がある。
【００６５】
ＰＤＳＣＨをスケジュールするＰＤＣＣＨは、ＤＡＩ（Downlink  Assignment  Indicator）を含んでもよい。ＤＡＩは、カウンタＤＡＩ及びトータルＤＡＩを含んでもよい。トータルＤＡＩは、周波数方向に並ぶ少なくとも１つのＤＬ割り当ての総数を示してもよい。カウンタＤＡＩは、時間方向及び／又は周波数方向に並ぶ少なくとも１つのＤＬ割り当て（Downlink  Assignment）の番号（インデックス）を示してもよい。
【００６６】
図４は、それぞれがＤＬ割り当てを含む２つのＰＤＣＣＨが、１よりも多いサービングセル及び／又はＣＣ（Component  Carrier）において送信される場合のＤＡＩ（トータルＤＡＩ、カウンタＤＡＩ）を示す。ＰＤＣＣＨ＃１のＤＡＩは（２、１）を示し、ＰＤＣＣＨ＃２のＤＡＩは（２、２）を示す。
【００６７】
もしＵＥが、ＰＤＣＣＨ＃１の検出に失敗し、ＰＤＣＣＨ＃２の検出に成功した場合、ＵＥは、ＤＡＩが（２、２）である１つのＰＤＣＣＨのみを検出し、ＵＥは、２つのＰＤＣＣＨのうち、１番目のＰＤＣＣＨの検出に失敗し、２番目のＰＤＣＣＨの検出に成功したことを認識できる。もしＵＥが、ＰＤＣＣＨ＃１の検出に成功し、ＰＤＣＣＨ＃２の検出に失敗した場合、ＵＥは、ＤＡＩが（２、１）である１つのＰＤＣＣＨのみを検出し、ＵＥは、２つのＰＤＣＣＨのうち、１番目のＰＤＣＣＨの検出に成功し、２番目のＰＤＣＣＨの検出に失敗したことを認識できる。
【００６８】
図５は、それぞれがＤＬ割り当てを含む２つのＰＤＣＣＨが、１つのサービングセル及び／又はＣＣ、異なるシンボル又はスロットにおいて送信される場合のＤＡＩ（トータルＤＡＩ、カウンタＤＡＩ）を示す。ＰＤＣＣＨ＃１のＤＡＩは（１、１）を示し、ＰＤＣＣＨ＃２のＤＡＩは（１、２）を示す。
【００６９】
ＮＷが、ＰＤＣＣＨ＃１を送る時点でＰＤＣＣＨ＃２を送ることを認識していない場合があるため、トータルＤＡＩは、周波数方向（サービングセル及び／又はＣＣ）のＤＬ割り当ての数を示す。
【００７０】
もしＵＥが、ＰＤＣＣＨ＃１の検出に失敗し、ＰＤＣＣＨ＃２の検出に成功した場合、ＵＥは、ＤＡＩが（１、２）である１つのＰＤＣＣＨのみを検出し、ＵＥは、２つのＰＤＣＣＨのうち、１番目のＰＤＣＣＨの検出に失敗し、２番目のＰＤＣＣＨの検出に成功したことを認識できる。もしＵＥが、ＰＤＣＣＨ＃１の検出に成功し、ＰＤＣＣＨ＃２の検出に失敗した場合、ＵＥは、ＤＡＩが（１、１）である１つのＰＤＣＣＨのみを検出し、ＵＥは、２つのＰＤＣＣＨのうち、１つのみのＰＤＣＣＨが送信されたことを認識し、２番目のＰＤＣＣＨの検出に失敗したことを認識できない。
【００７１】
図６は、ＤＬ割り当てを含む１つのＰＤＣＣＨが送信される場合のＤＡＩ（トータルＤＡＩ、カウンタＤＡＩ）を示す。ＰＤＣＣＨ＃１のＤＡＩは（１、１）を示す。ＵＥは、ＵＥは、ＤＡＩが（１、１）である１つのＰＤＣＣＨのみを検出し、１つのみのＰＤＣＣＨが存在することを認識できる。
【００７２】
図５のように、同一の周波数リソース（１つのサービングセル及び／又はＣＣ）において、異なる時間リソース（スロット又はシンボル）に配置された２つのＰＤＣＣＨが送信され、第１マッピングを用いる場合の問題について説明する。ＰＤＣＣＨ＃１、＃２は、それぞれＰＤＳＣＨ＃１、＃２をスケジュールする。
【００７３】
ＵＥが、ＰＤＣＣＨ＃１及びＰＤＳＣＨ＃１の受信に成功し、ＰＤＣＣＨ＃２の受信に失敗し、ＰＦ０を用いてＳＲを伴わない（否定ＳＲの）ＨＡＲＱ−ＡＣＫを送信する場合、ＵＥは、１ビットＨＡＲＱ−ＡＣＫによってＰＤＳＣＨ＃１に対する１ビットＨＡＲＱ−ＡＣＫとして１（ＡＣＫ）を送信する。ＮＷは、２ビットＨＡＲＱ−ＡＣＫを受信すると想定するため、実際に受信された１ビットＨＡＲＱ−ＡＣＫの１（ＡＣＫ）を、第１マッピングに基づいて、２ビットＨＡＲＱ−ＡＣＫの｛１、１｝（ＡＣＫ、ＡＣＫ）と解釈する。したがって、ＰＤＣＣＨ２の受信失敗が正しく通知されない。
【００７４】
ＵＥが、ＰＤＣＣＨ＃１の受信に成功し、ＰＤＳＣＨ＃１及びＰＤＣＣＨ＃２の受信に失敗し、ＰＦ０を用いてＳＲを伴う（肯定ＳＲの）ＨＡＲＱ−ＡＣＫを送信する場合、ＵＥは、１ビットＨＡＲＱ−ＡＣＫによってＰＤＳＣＨ＃１に対する１ビットＨＡＲＱ−ＡＣＫとして０（ＮＡＣＫ）を送信する。ＮＷは、２ビットＨＡＲＱ−ＡＣＫを受信すると想定するため、実際に受信されたＳＲを伴う１ビットＨＡＲＱ−ＡＣＫの０（ＮＡＣＫ）を、、第１マッピングに基づいて、ＳＲを伴わない２ビットＨＡＲＱ−ＡＣＫの｛０、１｝（ＮＡＣＫ、ＡＣＫ）と解釈する。したがって、ＰＤＣＣＨ＃２の受信失敗が正しく通知されない。
【００７５】
なお、ＵＥが準静的ＨＡＲＱ−ＡＣＫコードブックを用いることを設定された場合、ＵＥがＰＤＣＣＨ＃１及び／又は＃２の検出を失敗しても、ＵＥは、いずれのＰＤＣＣＨの検出を失敗したかが分かるため、ＵＥは、２ビットＨＡＲＱ−ＡＣＫを送信する。したがって、ＮＷは、正しく２ビットＨＡＲＱ−ＡＣＫを認識できる。
【００７６】
もしＵＥが、ＰＤＣＣＨ＃１及び＃２の両方の検出に失敗し、且つＳＲが発生しない場合、ＵＥは、ＰＵＣＣＨを送信しない。この場合、ＮＷは、ＤＴＸ（Discontinuous  Transmission）を検出する。したがって、ＮＷは、正しくＤＴＸを認識できる。もしＵＥが、ＰＤＣＣＨ＃１及び＃２の両方の検出に失敗し、且つＳＲが発生した場合、ＵＥは、ＰＦ１のＳＲ及びＮＡＣＫに対応する信号配置（constellation）を用いて、又はＰＦ０のＳＲに対応するＣＳを用いて、ＳＲ及びＤＴＸを送信する。したがって、ＮＷは、正しくＳＲ及びＤＴＸを認識できる。
【００７７】
このように、ＵＥが、第１マッピングを用いて時間方向に配置された２つのＰＤＣＣＨに対するＨＡＲＱ−ＡＣＫを通知する場合に、問題が発生する。そこで、本発明者らは、ＨＡＲＱ−ＡＣＫの通知方法を検討し、本発明に至った。
【００７８】
以下、本実施の形態について詳細に説明する。以下で説明する実施の態様は単独で適用してもよいし、組み合わせて適用してもよい。
【００７９】
以下の説明において、ＵＥが１つの周波数領域（サービングセル及び／又はＣＣ）から１つのＰＤＣＣＨを検出した場合は、ＨＡＲＱ−ＡＣＫが１つのＰＤＣＣＨによってスケジュールされた１つのＭＩＭＯ（Multiple-Input  and  Multiple-Output）レイヤ（空間レイヤ）を有する１つのＰＤＳＣＨから得られる場合と読み替えられてもよい。ＵＥが２つの周波数領域（サービングセル及び／又はＣＣ）から２つのＰＤＣＣＨを検出した場合は、ＨＡＲＱ−ＡＣＫが１つのＰＤＣＣＨによってスケジュールされた２つのＭＩＭＯレイヤを有するＰＤＳＣＨから得られる場合と読み替えられてもよい。
【００８０】
また、ＵＥ及びＮＷの２つの動作が逆であってもよい。すなわち、ＵＥが２ビットまでのＵＣＩのためのＰＵＣＣＨフォーマット（ＰＦ０又はＰＦ１）を用いると述べたケースに、ＵＥが２ビットよりも多いＵＣＩのためのＰＵＣＣＨフォーマット（ＰＦ２、ＰＦ３、又はＰＦ４）を用い、ＵＥが２ビットよりも多いＵＣＩのためのＰＵＣＣＨフォーマット（ＰＦ２、ＰＦ３、又はＰＦ４）を用いると述べたケースにおいて、ＵＥが２ビットまでのＵＣＩのためのＰＵＣＣＨフォーマット（ＰＦ０又はＰＦ１）を用いてもよい。
【００８１】
ＵＥが、２ビットまでのＵＣＩのためのＰＵＣＣＨフォーマットを用いることは、ＰＵＣＣＨリソースセット＃０からＰＵＣＣＨリソースを選択（決定）することであってもよい。ＵＥが、２ビットよりも多いＵＣＩのためのＰＵＣＣＨフォーマットを用いることは、ＰＵＣＣＨリソースセット＃１−３からＰＵＣＣＨリソースを選択（決定）することであってもよい。
【００８２】
（第１の態様）
第１の態様では、ＵＥは、２ビットまでのＨＡＲＱ−ＡＣＫを送信する場合、状況に適したＰＵＣＣＨフォーマット及び／又はＰＵＣＣＨリソースセットを用いる（ＰＵＣＣＨフォーマット決定方法）。
【００８３】
＜態様１−１＞
ＵＥは、動的ＨＡＲＱ−ＡＣＫコードブックを用いるか否か、及び／又は、１つの周波数領域（サービングセル及び／又はＣＣ）から１つのＰＤＣＣＨを検出したか否か、に基づいて、ＨＡＲＱ−ＡＣＫ送信のためのＰＵＣＣＨフォーマットを決定してもよい。
【００８４】
ＵＥが準静的ＨＡＲＱ−ＡＣＫコードブックを用いることを設定されるか、準静的ＨＡＲＱ−ＡＣＫコードブックを用いることを設定されるか、によってＵＥ動作が異なってもよい。
【００８５】
《ＵＥが準静的ＨＡＲＱ−ＡＣＫコードブックを用いることを設定される場合》
ＵＥが準静的ＨＡＲＱ−ＡＣＫコードブックを用いることを設定される場合、ＵＥは、２ビットまでの（１ビット又は２ビットの）ＵＣＩのためのＰＵＣＣＨフォーマット（ＰＦ０又はＰＦ１）を用いてもよい。この場合、１つの周波数領域（サービングセル及び／又はＣＣ）から１つのＰＤＣＣＨを検出したか否かにかかわらず、ＵＥは、２ビットまでのＵＣＩのためのＰＵＣＣＨフォーマットを用いてもよい。２ビットまでのＵＣＩのためのＰＵＣＣＨフォーマットは、２ビットまでのＰＵＣＣＨリソースセットであってもよいし、ＰＵＣＣＨリソースセット＃０であってもよい。
【００８６】
このＰＵＣＣＨフォーマット決定方法によれば、例えば、ＮＷが、時間方向にＰＤＣＣＨ＃１、＃２を送信し、ＵＥが、ＰＤＣＣＨ＃１の検出に成功し、且つＰＤＣＣＨ＃２の検出に失敗した場合であっても、ＵＥが、２ビットＨＡＲＱ−ＡＣＫを送信するため、ＮＷは、２ビットＨＡＲＱ−ＡＣＫを正しく認識できる。
【００８７】
《ＵＥが動的ＨＡＲＱ−ＡＣＫコードブックを用いることを設定される場合》
ＵＥが動的ＨＡＲＱ−ＡＣＫコードブックを用いることを設定される場合、ＵＥは、１つの周波数領域（サービングセル及び／又はＣＣ）から１つのＰＤＣＣＨを検出したか否かによって異なるＰＵＣＣＨフォーマットを決定してもよい。
【００８８】
ＵＥが動的ＨＡＲＱ−ＡＣＫコードブックを用いることを設定され、且つ２つの周波数領域（サービングセル及び／又はＣＣ）から２つのＰＤＣＣＨを検出した場合、ＵＥは、２ビットまでのＵＣＩのためのＰＵＣＣＨフォーマット（ＰＦ０又はＰＦ１）を用いてもよい。
【００８９】
ＵＥが動的ＨＡＲＱ−ＡＣＫコードブックを用いることを設定され、且つ１つの周波数領域（サービングセル及び／又はＣＣ）から１つのＰＤＣＣＨを検出した場合、ＵＥは、２ビットよりも多いＵＣＩのためのＰＵＣＣＨフォーマット（ＰＦ２、ＰＦ３、又はＰＦ４）を用いてもよい。
【００９０】
ＮＷは、時間方向にＰＤＣＣＨ＃１、＃２を送信した場合、ＰＵＣＣＨのブラインド検出を行うことによって、検出されたＰＵＣＣＨのＰＵＣＣＨフォーマットを認識してもよい。ＮＷは、検出されたＰＵＣＣＨがＰＦ０又はＰＦ１である場合、当該ＰＵＣＣＨが２ビットＨＡＲＱ−ＡＣＫを含むと想定し、検出されたＰＵＣＣＨがＰＦ２、ＰＦ３、又はＰＦ４である場合、当該ＰＵＣＣＨが１ビットＨＡＲＱ−ＡＣＫを含むと想定してもよい。
【００９１】
このＰＵＣＣＨフォーマット決定方法によれば、ＵＥがＰＤＣＣＨの検出に失敗することによって２ビットＨＡＲＱ−ＡＣＫを送信すべきところを１ビットＨＡＲＱ−ＡＣＫを送信する場合であっても、ＮＷがＨＡＲＱ−ＡＣＫを誤認識することを避けることができる。
【００９２】
例えば、ＵＥが、動的ＨＡＲＱ−ＡＣＫコードブックを用いることを設定され、ＮＷが、時間方向にＰＤＣＣＨ＃１、＃２を送信し、ＵＥが、ＰＤＣＣＨ＃１の検出に成功し、且つＰＤＣＣＨ＃２の検出に失敗した場合、ＵＥは、ＰＦ２、ＰＦ３、又はＰＦ４を用いて１ビットＨＡＲＱ−ＡＣＫを含むＰＵＣＣＨを送信する。ＮＷは、受信したＰＵＣＣＨがＰＦ２、ＰＦ３、又はＰＦ４であることから、ＰＵＣＣＨが１ビットＨＡＲＱ−ＡＣＫを示すと認識でき、ＰＤＣＣＨ＃１にスケジュールされたＰＤＳＣＨ＃１と、ＰＤＣＣＨ＃２にスケジュールされたＰＤＳＣＨ＃２と、の１つの受信が失敗したことを認識できる。
【００９３】
＜態様１−２＞
ＵＥは、１つの周波数領域（サービングセル及び／又はＣＣ）から１つのＰＤＣＣＨを検出したか否かに基づいて、ＨＡＲＱ−ＡＣＫ送信のためのＰＵＣＣＨフォーマットを決定してもよい。この場合、ＵＥは、動的ＨＡＲＱ−ＡＣＫコードブックを用いるか否かにかかわらず、同じ動作を行ってもよい。
【００９４】
ＵＥは、１つの周波数領域（サービングセル及び／又はＣＣ）から１つのＰＤＣＣＨを検出したか否かによって異なるＰＵＣＣＨフォーマットを決定してもよい。
【００９５】
ＵＥが２つの周波数領域（サービングセル及び／又はＣＣ）から２つのＰＤＣＣＨを検出した場合、ＵＥは、２ビットまでのＵＣＩのためのＰＵＣＣＨフォーマット（ＰＦ０又はＰＦ１）を用いてもよい。
【００９６】
ＵＥが１つの周波数領域（サービングセル及び／又はＣＣ）から１つのＰＤＣＣＨを検出した場合、ＵＥは、２ビットよりも多いＵＣＩのためのＰＵＣＣＨフォーマット（ＰＦ２、ＰＦ３、又はＰＦ４）を用いてもよい。
【００９７】
ＮＷは、時間方向にＰＤＣＣＨ＃１、＃２を送信した場合、ＰＵＣＣＨのブラインド検出を行うことによって、検出されたＰＵＣＣＨのＰＵＣＣＨフォーマットを認識してもよい。ＮＷは、検出されたＰＵＣＣＨがＰＦ０又はＰＦ１である場合、当該ＰＵＣＣＨが２ビットＨＡＲＱ−ＡＣＫを含むと想定し、検出されたＰＵＣＣＨがＰＦ２、ＰＦ３、又はＰＦ４である場合、当該ＰＵＣＣＨが１ビットＨＡＲＱ−ＡＣＫを含むと想定してもよい。
【００９８】
このＰＵＣＣＨフォーマット決定方法によれば、ＵＥがＰＤＣＣＨの検出に失敗することによって２ビットＨＡＲＱ−ＡＣＫを送信すべきところを１ビットＨＡＲＱ−ＡＣＫを送信する場合であっても、ＮＷがＨＡＲＱ−ＡＣＫを誤認識することを避けることができる。
【００９９】
例えば、ＮＷが、時間方向にＰＤＣＣＨ＃１、＃２を送信し、ＵＥが、ＰＤＣＣＨ＃１の検出に成功し、且つＰＤＣＣＨ＃２の検出に失敗した場合、ＵＥは、ＰＦ２、ＰＦ３、又はＰＦ４を用いて１ビットＨＡＲＱ−ＡＣＫを含むＰＵＣＣＨを送信する。ＮＷは、受信したＰＵＣＣＨがＰＦ２、ＰＦ３、又はＰＦ４であることから、ＰＵＣＣＨが１ビットＨＡＲＱ−ＡＣＫを示すと認識でき、ＰＤＣＣＨ＃１にスケジュールされたＰＤＳＣＨ＃１と、ＰＤＣＣＨ＃２にスケジュールされたＰＤＳＣＨ＃２と、の１つの受信が失敗したことを認識できる。
【０１００】
＜態様１−３＞
ＵＥは、動的ＨＡＲＱ−ＡＣＫコードブックを用いるか否かに基づいて、ＰＵＣＣＨフォーマットを決定してもよい。
【０１０１】
ＵＥが準静的ＨＡＲＱ−ＡＣＫコードブックを用いることを設定される場合、ＵＥは、２ビットまでのＵＣＩのためのＰＵＣＣＨフォーマット（ＰＦ０又はＰＦ１）を用いてもよい。
【０１０２】
このＰＵＣＣＨフォーマット決定方法によれば、例えば、ＮＷが、時間方向にＰＤＣＣＨ＃１、＃２を送信し、ＵＥが、ＰＤＣＣＨ＃１の検出に成功し、且つＰＤＣＣＨ＃２の検出に失敗した場合であっても、ＵＥが、２ビットＨＡＲＱ−ＡＣＫを送信するため、ＮＷは、２ビットＨＡＲＱ−ＡＣＫを正しく認識できる。
【０１０３】
ＵＥが動的ＨＡＲＱ−ＡＣＫコードブックを用いることを設定される場合、ＵＥは、２ビットよりも多いＵＣＩのためのＰＵＣＣＨフォーマット（ＰＦ２、ＰＦ３、又はＰＦ４）を用いてもよい。
【０１０４】
ＮＷは、時間方向にＰＤＣＣＨ＃１、＃２を送信した場合、ＰＵＣＣＨのブラインド検出を行うことによって、検出されたＰＵＣＣＨのＰＵＣＣＨフォーマットを認識してもよい。ＮＷは、検出されたＰＵＣＣＨがＰＦ０又はＰＦ１である場合、当該ＰＵＣＣＨが２ビットＨＡＲＱ−ＡＣＫを含むと想定し、検出されたＰＵＣＣＨがＰＦ２、ＰＦ３、又はＰＦ４である場合、当該ＰＵＣＣＨが１ビットＨＡＲＱ−ＡＣＫを含むと想定してもよい。
【０１０５】
このＰＵＣＣＨフォーマット決定方法によれば、ＵＥがＰＤＣＣＨの検出に失敗することによって２ビットＨＡＲＱ−ＡＣＫを送信すべきところを１ビットＨＡＲＱ−ＡＣＫを送信する場合であっても、ＮＷがＨＡＲＱ−ＡＣＫを誤認識することを避けることができる。
【０１０６】
例えば、ＵＥが、動的ＨＡＲＱ−ＡＣＫコードブックを用いることを設定され、ＮＷが、時間方向にＰＤＣＣＨ＃１、＃２を送信し、ＵＥが、ＰＤＣＣＨ＃１の検出に成功し、且つＰＤＣＣＨ＃２の検出に失敗した場合、ＵＥは、ＰＦ２、ＰＦ３、又はＰＦ４を用いて１ビットＨＡＲＱ−ＡＣＫを含むＰＵＣＣＨを送信する。ＮＷは、受信したＰＵＣＣＨがＰＦ２、ＰＦ３、又はＰＦ４であることから、ＰＵＣＣＨが１ビットＨＡＲＱ−ＡＣＫを示すと認識でき、ＰＤＣＣＨ＃１にスケジュールされたＰＤＳＣＨ＃１と、ＰＤＣＣＨ＃２にスケジュールされたＰＤＳＣＨ＃２と、の１つの受信が失敗したことを認識できる。
【０１０７】
（第２の態様）
第２の態様では、第１マッピングと異なる第２マッピングを用いる。
【０１０８】
＜態様２−１＞
態様２−１では、ＰＦ０に対する第２マッピングについて説明する。
【０１０９】
図７Ａ、図８Ａに示すように、第１マッピングと同様、ＰＦ０において、１ビットＨＡＲＱ−ＡＣＫ値０、１に対し、巡回シフト０、６がそれぞれ関連付けられ（マップされ）てもよい。
【０１１０】
図７Ｂ、図８Ｂに示すように、ＰＦ０において、２ビットＨＡＲＱ−ＡＣＫ値｛０、０｝、｛０、１｝、｛１、０｝、｛１、１｝に対し、巡回シフト０、３、６、９がそれぞれ関連付けられてもよい。
【０１１１】
ここで、１ビットＨＡＲＱ−ＡＣＫ値０と、２ビットＨＡＲＱ−ＡＣＫ値｛０、０｝と、が同じ巡回シフトに関連付けられればよく、１ビットＨＡＲＱ−ＡＣＫ値の１と、２ビットＨＡＲＱ−ＡＣＫ値の｛１、０｝と、が同じ巡回シフトに関連付けられればよい。なお、ＰＦ０において、２ビットＨＡＲＱ−ＡＣＫ値｛０、０｝、｛０、１｝、｛１、０｝、｛１、１｝に対し、巡回シフト０、９、６、３がそれぞれ関連付けられてもよい。
【０１１２】
図７Ｃ、図８Ａに示すように、ＰＦ０において、肯定ＳＲを伴う１ビットＨＡＲＱ−ＡＣＫの値０、１に対し、巡回シフト１、７がそれぞれ関連付けられてもよい。
【０１１３】
図７Ｄ、図８Ｂに示すように、ＰＦ０において、肯定ＳＲを伴う２ビットＨＡＲＱ−ＡＣＫ値｛０、０｝、｛０、１｝、｛１、０｝、｛１、１｝に対し、巡回シフト１、４、７、１０がそれぞれ関連付けられてもよい。
【０１１４】
肯定ＳＲを伴う１ビットＨＡＲＱ−ＡＣＫ値０と、２ビットＨＡＲＱ−ＡＣＫ値｛０、０｝と、が同じ巡回シフトに関連付けられればよく、肯定ＳＲを伴う１ビットＨＡＲＱ−ＡＣＫ値の１と、２ビットＨＡＲＱ−ＡＣＫ値の｛１、０｝と、が同じ巡回シフトに関連付けられればよい。なお、ＰＦ０において、肯定ＳＲを伴う２ビットＨＡＲＱ−ＡＣＫ値｛０、０｝、｛０、１｝、｛１、０｝、｛１、１｝に対し、巡回シフト１、１０、７、４がそれぞれ関連付けられてもよい。
【０１１５】
このマッピングによれば、ＵＥがＰＤＣＣＨの検出に失敗することによって２ビットＨＡＲＱ−ＡＣＫを送信すべきところを１ビットＨＡＲＱ−ＡＣＫを送信する場合であっても、ＮＷが受信したＨＡＲＱ−ＡＣＫを誤認識することを避けることができる。
【０１１６】
例えば、ＮＷが、時間方向にＰＤＣＣＨ＃１、＃２を送信し、ＵＥが、ＰＤＣＣＨ＃１の検出に成功し、且つＰＤＣＣＨ＃２の検出に失敗し、ＰＤＣＣＨ＃１にスケジュールされたＰＤＳＣＨ＃１から得られる１ビットＨＡＲＱ−ＡＣＫ値（０又は１）を送信する場合であっても、ＮＷは、２ビットＨＡＲＱ−ＡＣＫ値（｛０、０｝又は｛１、０｝）と認識するため、ＰＤＳＣＨ＃２の受信失敗を正しく認識できる。
【０１１７】
＜態様２−２＞
態様２−２では、ＰＦ１に対する第２マッピングについて説明する。
【０１１８】
ＰＦ１に対し、ＵＣＩ（ＨＡＲＱ−ＡＣＫ）を示す１ビット及び２ビットのビットｂ（ｉ）に対し、複素値変調シンボル（complex-valued  modulation  symbol）ｘが、次のように関連付けられ（マップされ）てもよい。
【０１１９】
１ビット値ｂ（０）である０、１に対し、２つの複素値変調シンボルｘとして（１＋ｊ）／ｓｑｒｔ（２）、（−１−ｊ）／ｓｑｒｔ（２）がそれぞれ関連付けられ、ＰＦ１に対し、２ビット値｛ｂ（０）、ｂ（１）｝である｛０、０｝、｛０、１｝、｛１、０｝、｛１、１｝に対し、４つの複素値変調シンボルｘとして、（１＋ｊ）／ｓｑｒｔ（２）、（１−ｊ）／ｓｑｒｔ（２）、（−１＋ｊ）／ｓｑｒｔ（２）、（−１−ｊ）／ｓｑｒｔ（２）がそれぞれ関連付けられてもよい。
【０１２０】
ここで、１ビット値０と、２ビット値｛０、０｝と、が同じ複素値変調シンボルに関連付けられればよく、１ビット値１と、２ビット値｛１、０｝と、が同じ複素値変調シンボルに関連付けられればよく、関連付けられればよい。よって、２ビット値｛０、１｝、｛１、１｝にそれぞれ関連付けられる２つの複素値変調シンボルが、上記と逆であってもよい。
【０１２１】
このマッピングによれば、ＵＥがＰＤＣＣＨの検出に失敗することによって２ビットＨＡＲＱ−ＡＣＫを送信すべきところを１ビットＨＡＲＱ−ＡＣＫを送信する場合であっても、ＮＷが受信したＨＡＲＱ−ＡＣＫを誤認識することを避けることができる。
【０１２２】
例えば、ＮＷが、時間方向にＰＤＣＣＨ＃１、＃２を送信し、ＵＥが、ＰＤＣＣＨ＃１の検出に成功し、且つＰＤＣＣＨ＃２の検出に失敗し、ＰＤＣＣＨ＃１にスケジュールされたＰＤＳＣＨ＃１から得られる１ビットＨＡＲＱ−ＡＣＫ値（０又は１）を送信する場合であっても、ＮＷは、２ビットＨＡＲＱ−ＡＣＫ値（｛０、０｝又は｛１、０｝）と認識するため、ＰＤＳＣＨ＃２の受信失敗を正しく認識できる。
【０１２３】
第２の態様によれば、ＵＥがＰＤＣＣＨ＃１の検出に失敗し、且つＰＤＣＣＨ＃２の検出に失敗した場合、ＵＥは、ＨＡＲＱ−ＡＣＫを含むＰＵＣＣＨを送信しない。ＮＷは、２ビットＨＡＲＱ−ＡＣＫの受信を想定し、ＤＴＸを検出することによって、２ビットＨＡＲＱ−ＡＣＫ｛０、０｝を正しく認識できる。
【０１２４】
この第２の態様によれば、ＵＥがＰＤＣＣＨ＃１の検出に失敗し、且つＰＤＣＣＨ＃２の検出に成功した場合、ＵＥは、ＰＤＣＣＨ＃１の検出失敗を認識するため、２ビットＨＡＲＱ−ＡＣＫ（｛０、０｝又は｛０、１｝）を含むＰＵＣＣＨを送信する。ＮＷは、２ビットＨＡＲＱ−ＡＣＫの受信を想定し、当該ＰＵＣＣＨを受信することによって、ＰＤＣＣＨ＃２にスケジュールされたＰＤＳＣＨ＃２の受信失敗を正しく認識できる。
【０１２５】
この第２の態様によれば、ＵＥがＰＤＣＣＨ＃１の検出に成功し、且つＰＤＣＣＨ＃２の検出に失敗した場合、ＵＥは、ＰＵＣＣＨ＃２にスケジュールされたＰＤＳＣＨ＃２に対する１ビットＨＡＲＱ−ＡＣＫ（０又は１）を含むＰＵＣＣＨを送信する。ＮＷは、２ビットＨＡＲＱ−ＡＣＫの受信を想定し、当該ＰＵＣＣＨを２ビットＨＡＲＱ−ＡＣＫ（｛０、０｝又は｛１、０｝）と認識することによって、ＰＤＳＣＨ＃２の受信失敗を正しく認識できる。
【０１２６】
この第２の態様によれば、ＵＥがＰＤＣＣＨ＃１の検出に成功し、且つＰＤＣＣＨ＃２の検出に成功した場合、ＵＥは、２ビットＨＡＲＱ−ＡＣＫを含むＰＵＣＣＨを送信する。ＮＷは、２ビットＨＡＲＱ−ＡＣＫの受信を想定し、２ビットＨＡＲＱ−ＡＣＫを正しく認識できる。
【０１２７】
（第３の態様）
第３の態様では、第１マッピングと異なる第３マッピングを用いる。ＰＦ０に対する第３マッピングについて説明する。
【０１２８】
図９Ａ、図１０Ａに示すように、第１マッピングと同様、ＰＦ０に対し、１ビットＨＡＲＱ−ＡＣＫ値０、１に対し、巡回シフト０、６がそれぞれ関連付けられ（マップされ）てもよい。
【０１２９】
図９Ｂ、図１０Ｂに示すように、第１マッピングと同様、ＰＦ０に対し、２ビットＨＡＲＱ−ＡＣＫ値｛０、０｝、｛０、１｝、｛１、１｝、｛１、０｝に対し、巡回シフト０、３、６、９がそれぞれ関連付けられてもよい。
【０１３０】
図９Ｃ、図１０Ａに示すように、ＰＦ０に対し、肯定ＳＲを伴う１ビットＨＡＲＱ−ＡＣＫの値０、１に対し、巡回シフト１、７がそれぞれ関連付けられてもよい。
【０１３１】
図９Ｄ、図１０Ｂに示すように、第１マッピングと同様、ＰＦ０に対し、肯定ＳＲを伴う２ビットＨＡＲＱ−ＡＣＫ値｛０、０｝、｛０、１｝、｛１、１｝、｛１、０｝に対し、巡回シフト１、４、７、１０がそれぞれ関連付けられてもよい。
【０１３２】
肯定ＳＲを伴う１ビットＨＡＲＱ−ＡＣＫ値の０と、肯定ＳＲを伴う２ビットＨＡＲＱ−ＡＣＫ値の｛０、０｝と、が同じ巡回シフトに関連付けられる。１ビットＨＡＲＱ−ＡＣＫ値の１と、２ビットＨＡＲＱ−ＡＣＫ値の｛１、１｝と、が同じ巡回シフトに関連付けられる。
【０１３３】
第３マッピングによれば、第１マッピングからの変更を最小限に抑えることができる。また、肯定ＳＲを伴う１ビットＨＡＲＱ−ＡＣＫ値に関連付けられる巡回シフトと、肯定ＳＲを伴う２ビットＨＡＲＱ−ＡＣＫ値に関連付けられる巡回シフトと、の違いを抑え、ＵＥ動作を簡単化でき、ＵＥの負荷を抑えることができる。
【０１３４】
（第４の態様）
第４の態様では、ＵＥは、２ビットまでのＨＡＲＱ−ＡＣＫを送信する場合、状況に適した、ＵＣＩと、巡回シフト又は複素値変調シンボルと、のマッピングを用いる（マッピング決定方法）。
【０１３５】
＜態様４−１＞
ＵＥは、動的ＨＡＲＱ−ＡＣＫコードブックを用いるか否か、及び／又は、１つの周波数領域（サービングセル及び／又はＣＣ）から１つのＰＤＣＣＨを検出したか否か、に基づいてマッピングを決定してもよい。
【０１３６】
ＵＥが準静的ＨＡＲＱ−ＡＣＫコードブックを用いることを設定されるか、準静的ＨＡＲＱ−ＡＣＫコードブックを用いることを設定されるか、によってＵＥ動作が異なってもよい。
【０１３７】
《ＵＥが準静的ＨＡＲＱ−ＡＣＫコードブックを用いることを設定される場合》
ＵＥが準静的ＨＡＲＱ−ＡＣＫコードブックを用いることを設定される場合、ＵＥは、第３マッピングを用いて、２ビットまでの（１ビット又は２ビットの）ＵＣＩのためのＰＵＣＣＨフォーマット（ＰＦ０又はＰＦ１）のＰＵＣＣＨを送信してもよい。この場合、１つの周波数領域（サービングセル及び／又はＣＣ）から１つのＰＤＣＣＨを検出したか否かにかかわらず、ＵＥは、第３マッピングを用いてもよい。２ビットまでのＵＣＩのためのＰＵＣＣＨフォーマットは、２ビットまでのＰＵＣＣＨリソースセットであってもよいし、ＰＵＣＣＨリソースセット＃０であってもよい。
【０１３８】
このマッピング決定方法によれば、例えば、ＮＷが、時間方向にＰＤＣＣＨ＃１、＃２を送信し、ＵＥが、ＰＤＣＣＨ＃１の検出に成功し、且つＰＤＣＣＨ＃２の検出に失敗した場合であっても、ＵＥが、２ビットＨＡＲＱ−ＡＣＫを送信するため、ＮＷは、２ビットＨＡＲＱ−ＡＣＫを正しく認識できる。
【０１３９】
《ＵＥが動的ＨＡＲＱ−ＡＣＫコードブックを用いることを設定される場合》
ＵＥが動的ＨＡＲＱ−ＡＣＫコードブックを用いることを設定される場合、ＵＥは、１つの周波数領域（サービングセル及び／又はＣＣ）から１つのＰＤＣＣＨを検出したか否かによって異なるマッピングを決定してもよい。
【０１４０】
ＵＥが動的ＨＡＲＱ−ＡＣＫコードブックを用いることを設定され、且つ２つの周波数領域（サービングセル及び／又はＣＣ）から２つのＰＤＣＣＨを検出した場合、ＵＥは、第３マッピングを用いて、２ビットまでのＵＣＩのためのＰＵＣＣＨフォーマット（ＰＦ０又はＰＦ１）のＰＵＣＣＨを送信してもよい。
【０１４１】
ＵＥが動的ＨＡＲＱ−ＡＣＫコードブックを用いることを設定され、且つ１つの周波数領域（サービングセル及び／又はＣＣ）から１つのＰＤＣＣＨを検出した場合、ＵＥは、第２マッピングを用いて、２ビットまでのＵＣＩのためのＰＵＣＣＨフォーマット（ＰＦ０又はＰＦ１）のＰＵＣＣＨを送信してもよい。
【０１４２】
このマッピング決定方法によれば、ＵＥがＰＤＣＣＨの検出に失敗することによって２ビットＨＡＲＱ−ＡＣＫを送信すべきところを１ビットＨＡＲＱ−ＡＣＫを送信する場合であっても、ＮＷがＨＡＲＱ−ＡＣＫを誤認識することを避けることができる。
【０１４３】
例えば、ＵＥが、動的ＨＡＲＱ−ＡＣＫコードブックを用いることを設定され、ＮＷが、時間方向にＰＤＣＣＨ＃１、＃２を送信し、ＵＥが、ＰＤＣＣＨ＃１の検出に成功し、且つＰＤＣＣＨ＃２の検出に失敗した場合、ＵＥは、第２マッピングを用いて１ビットＨＡＲＱ−ＡＣＫを含むＰＵＣＣＨを送信する。ＮＷは、受信したＰＵＣＣＨを２ビットＨＡＲＱ−ＡＣＫとして解釈でき、ＰＤＣＣＨ＃２にスケジュールされたＰＤＳＣＨ＃２の受信が失敗したことを認識できる。
【０１４４】
＜態様４−２＞
ＵＥは、１つの周波数領域（サービングセル及び／又はＣＣ）から１つのＰＤＣＣＨを検出したか否かに基づいて、ＨＡＲＱ−ＡＣＫ送信のためのマッピングを決定してもよい。この場合、ＵＥは、動的ＨＡＲＱ−ＡＣＫコードブックを用いるか否かにかかわらず、同じ動作を行ってもよい。
【０１４５】
ＵＥは、１つの周波数領域（サービングセル及び／又はＣＣ）から１つのＰＤＣＣＨを検出したか否かによって異なるマッピングを決定してもよい。
【０１４６】
ＵＥが２つの周波数領域（サービングセル及び／又はＣＣ）から２つのＰＤＣＣＨを検出した場合、ＵＥは、第３マッピングを用いて、２ビットまでのＵＣＩのためのＰＵＣＣＨフォーマットのＰＵＣＣＨを送信してもよい。ＮＷは、第３マッピングの巡回シフトを有するＰＵＣＣＨを検出した場合、第３マッピングを用いて２ビットＨＡＲＱ−ＡＣＫを解釈してもよい。
【０１４７】
ＵＥが１つの周波数領域（サービングセル及び／又はＣＣ）から１つのＰＤＣＣＨを検出した場合、ＵＥは、第２マッピングを用いて、２ビットまでのＵＣＩのためのＰＵＣＣＨフォーマットのＰＵＣＣＨを送信してもよい。ＮＷは、第２マッピングの巡回シフトを有するＰＵＣＣＨを検出した場合、第２マッピングを用いて１ビットＨＡＲＱ−ＡＣＫを解釈してもよい。
【０１４８】
このマッピング決定方法によれば、ＵＥがＰＤＣＣＨの検出に失敗することによって２ビットＨＡＲＱ−ＡＣＫを送信すべきところを１ビットＨＡＲＱ−ＡＣＫを送信する場合であっても、ＮＷがＨＡＲＱ−ＡＣＫを誤認識することを避けることができる。
【０１４９】
例えば、ＮＷが、時間方向にＰＤＣＣＨ＃１、＃２を送信し、ＵＥが、ＰＤＣＣＨ＃１の検出に成功し、且つＰＤＣＣＨ＃２の検出に失敗し、ＰＤＣＣＨ＃１にスケジュールされたＰＤＳＣＨ＃１から得られる１ビットＨＡＲＱ−ＡＣＫ値（０又は１）を送信する場合であっても、ＵＥは、第２マッピングを用いて１ビットＨＡＲＱ−ＡＣＫを含むＰＵＣＣＨを送信する。ＮＷは、２ビットＨＡＲＱ−ＡＣＫ値（｛０、０｝又は｛１、０｝）と認識するため、ＰＤＳＣＨ＃２の受信失敗を正しく認識できる。
【０１５０】
＜態様４−３＞
ＵＥは、動的ＨＡＲＱ−ＡＣＫコードブックを用いるか否かに基づいて、マッピングを決定してもよい。
【０１５１】
ＵＥが準静的ＨＡＲＱ−ＡＣＫコードブックを用いることを設定される場合、ＵＥは、第３マッピングを用いて、２ビットまでのＵＣＩのためのＰＵＣＣＨフォーマット（ＰＦ０又はＰＦ１）のＰＵＣＣＨを送信してもよい。
【０１５２】
このマッピング決定方法によれば、例えば、ＮＷが、時間方向にＰＤＣＣＨ＃１、＃２を送信し、ＵＥが、ＰＤＣＣＨ＃１の検出に成功し、且つＰＤＣＣＨ＃２の検出に失敗した場合であっても、ＵＥが、２ビットＨＡＲＱ−ＡＣＫを送信するため、ＮＷは、２ビットＨＡＲＱ−ＡＣＫを正しく認識できる。
【０１５３】
ＵＥが動的ＨＡＲＱ−ＡＣＫコードブックを用いることを設定される場合、ＵＥは、第２マッピングを用いて、２ビットまでのＵＣＩのためのＰＵＣＣＨフォーマット（ＰＦ０又はＰＦ１）のＰＵＣＣＨを送信してもよい。
【０１５４】
このマッピング決定方法によれば、ＵＥがＰＤＣＣＨの検出に失敗することによって２ビットＨＡＲＱ−ＡＣＫを送信すべきところを１ビットＨＡＲＱ−ＡＣＫを送信する場合であっても、ＮＷがＨＡＲＱ−ＡＣＫを誤認識することを避けることができる。
【０１５５】
例えば、ＵＥが、動的ＨＡＲＱ−ＡＣＫコードブックを用いることを設定され、ＮＷが、時間方向にＰＤＣＣＨ＃１、＃２を送信し、ＵＥが、ＰＤＣＣＨ＃１の検出に成功し、且つＰＤＣＣＨ＃２の検出に失敗し、ＰＤＣＣＨ＃１にスケジュールされたＰＤＳＣＨ＃１から得られる１ビットＨＡＲＱ−ＡＣＫ値（０又は１）を送信する場合であっても、ＮＷは、２ビットＨＡＲＱ−ＡＣＫ値（｛０、０｝又は｛１、０｝）と認識するため、ＰＤＳＣＨ＃２の受信失敗を正しく認識できる。
【０１５６】
＜態様４−４＞
ＵＥは、２ビットまでのＨＡＲＱ−ＡＣＫを送信する場合、第２マッピングを用いてもよい。この場合、ＵＥは、動的ＨＡＲＱ−ＡＣＫコードブックを用いるか否かにかかわらず、１つの周波数領域（サービングセル及び／又はＣＣ）から１つのＰＤＣＣＨを検出したか否かにかかわらず、ＨＡＲＱ−ＡＣＫがどのようなＰＤＣＣＨ及び／又はＰＤＳＣＨから得られるかにかかわらず、同じ動作を行ってもよい。
【０１５７】
このマッピング決定方法によれば、ＵＥがＰＤＣＣＨの検出に失敗することによって２ビットＨＡＲＱ−ＡＣＫを送信すべきところを１ビットＨＡＲＱ−ＡＣＫを送信する場合であっても、ＮＷがＨＡＲＱ−ＡＣＫを誤認識することを避けることができる。
【０１５８】
例えば、ＵＥが、動的ＨＡＲＱ−ＡＣＫコードブックを用いることを設定され、ＮＷが、時間方向にＰＤＣＣＨ＃１、＃２を送信し、ＵＥが、ＰＤＣＣＨ＃１の検出に成功し、且つＰＤＣＣＨ＃２の検出に失敗し、ＰＤＣＣＨ＃１にスケジュールされたＰＤＳＣＨ＃１から得られる１ビットＨＡＲＱ−ＡＣＫ値（０又は１）を送信する場合であっても、ＮＷは、２ビットＨＡＲＱ−ＡＣＫ値（｛０、０｝又は｛１、０｝）と認識するため、ＰＤＳＣＨ＃２の受信失敗を正しく認識できる。
【０１５９】
（第５の態様）
第５の態様では、ＰＤＳＣＨをスケジュールするＰＤＣＣＨに含まれるトータルＤＡＩが、時間方向及び／又は周波数方向に並ぶ少なくとも１つのＤＬ割り当ての数を示す（ＰＤＣＣＨ識別方法）。
【０１６０】
カウンタＤＡＩは、時間方向及び／又は周波数方向に並ぶ少なくとも１つのＤＬ割り当ての番号（インデックス）を示してもよい。
【０１６１】
この場合、時間方向に２つのＰＤＣＣＨが送信される場合、ＰＤＣＣＨ＃１において、トータルＤＡＩが２を示し、カウンタＤＡＩが１を示し、ＰＤＣＣＨ＃２において、トータルＤＡＩが１を示し、カウンタＤＡＩが２を示す。時間方向に１つのＰＤＣＣＨが送信される場合、ＰＤＣＣＨ＃１において、トータルＤＡＩが１を示し、カウンタＤＡＩが１を示す。
【０１６２】
ＵＥが動的ＨＡＲＱ−ＡＣＫコードブックを用いることを設定された場合、ＵＥは、ＰＤＣＣＨに含まれるトータルＤＡＩ及びカウンタＤＡＩを用いて、検出されたＰＤＣＣＨを識別してもよい。ＵＥは、少なくとも１つのＰＤＣＣＨを検出した場合、当該ＰＤＣＣＨ内のトータルＤＡＩに基づいて、２ビットＨＡＲＱ−ＡＣＫを含むＰＵＣＣＨを送信してもよい。
【０１６３】
もしＵＥがＰＤＣＣＨ＃１の検出に失敗し、且つＰＤＣＣＨ＃２の検出に成功した場合、ＵＥは、検出されたＰＤＣＣＨ＃２に含まれるトータルＤＡＩが２であり、カウンタＤＡＩが２であるため、ＰＤＣＣＨ＃１の検出失敗とＰＤＣＣＨ＃２の検出成功とを認識できる。ＵＥは、ＰＤＳＣＨ＃２の復号結果に基づいて、２ビットＨＡＲＱ−ＡＣＫを送信する。
【０１６４】
もしＵＥがＰＤＣＣＨ＃１の検出に成功し、且つＰＤＣＣＨ＃２の検出に失敗した場合、ＵＥは、検出されたＰＤＣＣＨ＃１に含まれるトータルＤＡＩが２であり、カウンタＤＡＩが１であるため、ＰＤＣＣＨ＃１の検出成功とＰＤＣＣＨ＃２の検出失敗とを認識できる。ＵＥは、ＰＤＳＣＨ＃１の復号結果に基づいて、２ビットＨＡＲＱ−ＡＣＫを送信する。
【０１６５】
第５の態様によれば、例えば、ＮＷが、時間方向にＰＤＣＣＨ＃１、＃２を送信し、ＵＥが、ＰＤＣＣＨ＃１の検出に成功し、且つＰＤＣＣＨ＃２の検出に失敗した場合であっても、ＵＥが、トータルＤＡＩに基づいて２ビットＨＡＲＱ−ＡＣＫを送信することによって、ＮＷは、２ビットＨＡＲＱ−ＡＣＫを正しく認識できる。
【０１６６】
（第６の態様）
第６の態様では、ＵＥは、ＭＩＭＯレイヤ数に適したＰＵＣＣＨフォーマット及び／又はＰＵＣＣＨリソースセットを用いる（ＰＵＣＣＨフォーマット決定方法）。
【０１６７】
ＮＲにおいて、１つのＣＷ（Code  Word）及び／又はＴＢ（Transport  Block）が４ＭＩＭＯレイヤまでによって送信されるため、ＭＩＭＯレイヤが１〜４である場合、ＵＥは１ビットＨＡＲＱ−ＡＣＫを送信し、ＭＩＭＯレイヤが５〜８である場合、ＵＥは２ビットＨＡＲＱ−ＡＣＫを送信してもよい。
【０１６８】
ＵＥが検出した１つのＤＬ割り当て（１つのＰＤＣＣＨ）がスケジュールするＰＤＳＣＨのＣＷ及び／又はＴＢの数が１である場合（１つのＰＤＣＣＨに基づいてＭＩＭＯレイヤ方向に１ビットＨＡＲＱ−ＡＣＫが得られる場合）、ＵＥは、２ビットまでのＵＣＩのためのＰＵＣＣＨフォーマット（ＰＦ０又はＰＦ１）を用いてもよい。
【０１６９】
ＵＥが検出した１つのＤＬ割り当て（１つのＰＤＣＣＨ）がスケジュールするＰＤＳＣＨのＣＷ及び／又はＴＢの数が２である場合（１つのＰＤＣＣＨに基づいてＭＩＭＯレイヤ方向に２ビットＨＡＲＱ−ＡＣＫが得られる場合）、ＵＥは、２ビットまでのＵＣＩのためのＰＵＣＣＨフォーマット（ＰＦ０又はＰＦ１）を用いてもよい。
【０１７０】
ＵＥが検出した２つのＤＬ割り当て（２つのＰＤＣＣＨ）のそれぞれがスケジュールするＰＤＳＣＨのＣＷ及び／又はＴＢの数が１である場合（２つのＰＤＣＣＨのそれぞれに基づいてＭＩＭＯレイヤ方向に１ビットＨＡＲＱ−ＡＣＫが得られ、合わせて２ビットＨＡＲＱ−ＡＣＫが得られる場合）、ＵＥは、２ビットよりも多いＵＣＩのためのＰＵＣＣＨフォーマット（ＰＦ２、ＰＦ３、又はＰＦ４）を用いてもよい。
【０１７１】
この場合、ＵＥは、両方のＰＤＣＣＨの検出に成功すれば、ＰＦ０又はＰＦ１を送信し、一方のＰＤＣＣＨの検出に失敗すれば、ＰＦ２、ＰＦ３、又はＰＦ４を送信する。ＮＷは、２パターンのＰＵＣＣＨをブラインド検出することによって、ＵＥのＰＤＣＣＨの検出を認識できる。
【０１７２】
ＵＥが検出した２つのＤＬ割り当て（２つのＰＤＣＣＨ）の少なくとも１つがスケジュールするＰＤＳＣＨのＣＷ及び／又はＴＢの数が２である場合（２つのＰＤＣＣＨの少なくとも１つに基づいてＭＩＭＯレイヤ方向に２ビットＨＡＲＱ−ＡＣＫが得られ、合わせて２ビットよりも多い（３ビット以上の）ＨＡＲＱ−ＡＣＫが得られる場合）、ＵＥは、２ビットよりも多いＵＣＩのためのＰＵＣＣＨフォーマット（ＰＦ２、ＰＦ３、又はＰＦ４）を用いてもよい。
【０１７３】
なお、ＵＥは、２つのＣＷ及び／又はＴＢに基づく２ビットＨＡＲＱ−ＡＣＫを送信する場合、ＵＥは、２ビットまでのＵＣＩのためのＰＵＣＣＨフォーマット（ＰＦ０又はＰＦ１）を用いてもよい。ＵＥは、１つのＣＷ及び／又はＴＢに基づく１ビットＨＡＲＱ−ＡＣＫを送信する場合、ＵＥは、２ビットよりも多いＵＣＩのためのＰＵＣＣＨフォーマット（ＰＦ２、ＰＦ３、又はＰＦ４）を用いてもよい。
【０１７４】
ＵＥが動的ＨＡＲＱ−ＡＣＫコードブックを用いることを設定され、且つ１つの周波数領域（サービングセル及び／又はＣＣ）から１つのＰＤＣＣＨを検出し、且つＵＥが検出した２つのＤＬ割り当て（２つのＰＤＣＣＨ）のそれぞれがスケジュールするＰＤＳＣＨのＣＷ及び／又はＴＢの数が１である場合（２つのＰＤＣＣＨのそれぞれに基づいてＭＩＭＯレイヤ方向に１ビットＨＡＲＱ−ＡＣＫが得られ、合わせて２ビットＨＡＲＱ−ＡＣＫが得られる場合）、ＵＥは、２ビットよりも多いＵＣＩのためのＰＵＣＣＨフォーマット（ＰＦ２、ＰＦ３、又はＰＦ４）を用いてもよい。
【０１７５】
なお、ＵＥは、２ビットよりも多いＵＣＩのためのＰＵＣＣＨフォーマットを用いる代わりに、第２マッピング及び２ビットまでのＵＣＩのためのＰＵＣＣＨフォーマット（ＰＦ０又はＰＦ１）を用いてもよい。また、２ビットまでのＵＣＩのためのＰＵＣＣＨフォーマット（ＰＦ０又はＰＦ１）を用いる代わりに、第３マッピング及び２ビットまでのＵＣＩのためのＰＵＣＣＨフォーマット（ＰＦ０又はＰＦ１）を用いてもよい。
【０１７６】
ＵＥが、ＭＩＭＯレイヤ（空間レイヤ）方向の２ビットＨＡＲＱ−ＡＣＫを送信する場合、ＵＥは、２ビットまでのＵＣＩのためのＰＵＣＣＨフォーマット（ＰＦ０又はＰＦ１）を用いてもよい。ＵＥが、ＭＩＭＯレイヤ（空間レイヤ）方向の１ビットＨＡＲＱ−ＡＣＫを送信する場合、ＵＥは、２ビットよりも多いＵＣＩのためのＰＵＣＣＨフォーマット（ＰＦ２、ＰＦ３、又はＰＦ４）を用いてもよい。
【０１７７】
このＰＵＣＣＨフォーマット決定方法によれば、ＵＥがＰＤＣＣＨの検出に失敗することによって２ビットＨＡＲＱ−ＡＣＫを送信すべきところを１ビットＨＡＲＱ−ＡＣＫを送信する場合であっても、ＮＷがＨＡＲＱ−ＡＣＫを誤認識することを避けることができる。
【０１７８】
例えば、ＵＥが、動的ＨＡＲＱ−ＡＣＫコードブックを用いることを設定され、ＮＷが、時間方向にＰＤＣＣＨ＃１、＃２を送信し、ＵＥが、ＰＤＣＣＨ＃１の検出に成功し、且つＰＤＣＣＨ＃２の検出に失敗した場合、ＵＥは、ＰＦ２、ＰＦ３、又はＰＦ４を用いて１ビットＨＡＲＱ−ＡＣＫを含むＰＵＣＣＨを送信する。ＮＷは、受信したＰＵＣＣＨがＰＦ２、ＰＦ３、又はＰＦ４であることから、ＰＵＣＣＨが１ビットＨＡＲＱ−ＡＣＫを示すと認識でき、ＰＤＣＣＨ＃１にスケジュールされたＰＤＳＣＨ＃１と、ＰＤＣＣＨ＃２にスケジュールされたＰＤＳＣＨ＃２と、の１つの受信が失敗したことを認識できる。
【０１７９】
（無線通信システム）
以下、本発明の一実施形態に係る無線通信システムの構成について説明する。この無線通信システムでは、本発明の上記各実施形態に係る無線通信方法のいずれか又はこれらの組み合わせを用いて通信が行われる。
【０１８０】
図１１は、本発明の一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１８１】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１８２】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示すものに限られない。
【０１８３】
ユーザ端末２０は、無線基地局１１及び無線基地局１２の双方に接続することができる。ユーザ端末２０は、マクロセルＣ１及びスモールセルＣ２を、ＣＡ又はＤＣにより同時に使用することが想定される。また、ユーザ端末２０は、複数のセル（ＣＣ）（例えば、５個以下のＣＣ、６個以上のＣＣ）を用いてＣＡ又はＤＣを適用してもよい。
【０１８４】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１８５】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成であってもよい。
【０１８６】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【０１８７】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１８８】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１８９】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１９０】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックを有する帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１９１】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨにより、ユーザデータ、上位レイヤ制御情報、ＳＩＢ（System  Information  Block）などが伝送される。また、ＰＢＣＨにより、ＭＩＢ（Master  Information  Block）が伝送される。
【０１９２】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及び／又はＰＵＳＣＨのスケジューリング情報を含む下り制御情報（ＤＣＩ：Downlink  Control  Information）などが伝送される。
【０１９３】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１９４】
ＰＣＦＩＣＨにより、ＰＤＣＣＨに用いるＯＦＤＭシンボル数が伝送される。ＰＨＩＣＨにより、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１９５】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータ、上位レイヤ制御情報などが伝送される。また、ＰＵＣＣＨにより、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨにより、セルとの接続確立のためのランダムアクセスプリアンブルが伝送される。
【０１９６】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１９７】
＜無線基地局＞
図１２は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１９８】
下りリンクにより無線基地局１０からユーザ端末２０に送信されるユーザデータは、上位局装置３０から伝送路インターフェース１０６を介してベースバンド信号処理部１０４に入力される。
【０１９９】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０２００】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。送受信部１０３は、本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０２０１】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０２０２】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０２０３】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０２０４】
図１３は、本発明の一実施形態に係る無線基地局の機能構成の一例を示す図である。なお、本例では、本実施形態における特徴部分の機能ブロックを主に示しており、無線基地局１０は、無線通信に必要な他の機能ブロックも有しているものとする。
【０２０５】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０２０６】
制御部（スケジューラ）３０１は、無線基地局１０全体の制御を実施する。制御部３０１は、本発明に係る技術分野での共通認識に基づいて説明されるコントローラ、制御回路又は制御装置から構成することができる。
【０２０７】
制御部３０１は、例えば、送信信号生成部３０２による信号の生成、マッピング部３０３による信号の割り当てなどを制御する。また、制御部３０１は、受信信号処理部３０４による信号の受信処理、測定部３０５による信号の測定などを制御する。
【０２０８】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。また、制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０２０９】
制御部３０１は、上りデータ信号（例えば、ＰＵＳＣＨで送信される信号）、上り制御信号（例えば、ＰＵＣＣＨ及び／又はＰＵＳＣＨで送信される信号、送達確認情報など）、ランダムアクセスプリアンブル（例えば、ＰＲＡＣＨで送信される信号）、上り参照信号などのスケジューリングを制御する。
【０２１０】
また、制御部３０１は、受信した上り制御チャネル（ＰＵＣＣＨ）の上り制御チャネルＰＵＣＣＨフォーマットを判定してもよい。
【０２１１】
送信信号生成部３０２は、制御部３０１からの指示に基づいて、下り信号（下り制御信号、下りデータ信号、下り参照信号など）を生成して、マッピング部３０３に出力する。送信信号生成部３０２は、本発明に係る技術分野での共通認識に基づいて説明される信号生成器、信号生成回路又は信号生成装置から構成することができる。
【０２１２】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０２１３】
マッピング部３０３は、制御部３０１からの指示に基づいて、送信信号生成部３０２で生成された下り信号を、所定の無線リソースにマッピングして、送受信部１０３に出力する。マッピング部３０３は、本発明に係る技術分野での共通認識に基づいて説明されるマッパー、マッピング回路又はマッピング装置から構成することができる。
【０２１４】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本発明に係る技術分野での共通認識に基づいて説明される信号処理器、信号処理回路又は信号処理装置から構成することができる。
【０２１５】
受信信号処理部３０４は、受信処理により復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０２１６】
測定部３０５は、受信した信号に関する測定を実施する。測定部３０５は、本発明に係る技術分野での共通認識に基づいて説明される測定器、測定回路又は測定装置から構成することができる。
【０２１７】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０２１８】
＜ユーザ端末＞
図１４は、本発明の一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０２１９】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本発明に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０２２０】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０２２１】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０２２２】
また、送受信部２０３は、少なくとも１つの下り制御チャネル（ＰＤＣＣＨ、ＤＬ割り当て）を受信し、下り制御チャネルにスケジュールされた少なくとも１つの下り共有チャネル（ＰＤＳＣＨ）を受信してもよい。また、送受信部２０３は、少なくとも１つの下り共有チャネルに基づく送達確認信号（例えば、ＨＡＲＱ−ＡＣＫ）を含む上り制御チャネルを送信してもよい。
【０２２３】
図１５は、本発明の一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有しているものとする。
【０２２４】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０２２５】
制御部４０１は、ユーザ端末２０全体の制御を実施する。制御部４０１は、本発明に係る技術分野での共通認識に基づいて説明されるコントローラ、制御回路又は制御装置から構成することができる。
【０２２６】
制御部４０１は、例えば、送信信号生成部４０２による信号の生成、マッピング部４０３による信号の割り当てなどを制御する。また、制御部４０１は、受信信号処理部４０４による信号の受信処理、測定部４０５による信号の測定などを制御する。
【０２２７】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０２２８】
また、制御部４０１は、前記少なくとも１つの下り共有チャネルに対して動的な送達確認信号コードブック（例えば、dynamic  HARQ-ACK  codebook）を用いることを設定されたか否か、前記下り共有チャネルに基づく送達確認信号のビット数、前記少なくとも１つの下りリンク割り当てが１つの周波数リソース（例えば、サービングセル又はＣＣ）によって送信されるか否か、前記少なくとも１つの下り共有チャネルのコードワード数（及び／又はトランスポートブロック数、又はＭＩＭＯレイヤ数）、の少なくとも１つに関連付けられた、上り制御チャネルフォーマット（ＰＵＣＣＨフォーマット）、送達確認信号のマッピング（例えば、第１−第３マッピングの１つ）、の少なくとも１つを用いる送達確認信号の送信を制御してもよい。
【０２２９】
また、マッピング（例えば、第２マッピング）において、１ビットの送達確認信号の値０にマップされた巡回シフト及び複素値変調シンボルの少なくとも１つが、２ビットの送達確認信号の（０，０）にマップされた巡回シフト及び複素値変調シンボルの少なくとも１つと等しく、１ビットの送達確認信号の値１にマップされた巡回シフト及び複素値変調シンボルの少なくとも１つが、２ビットの送達確認信号の（１，０）にマップされた巡回シフト及び複素値変調シンボルの少なくとも１つと等しくてもよい。
【０２３０】
また、マッピング（例えば、第２マッピング）において、スケジューリング要求及び１ビットの送達確認信号の値０にマップされた巡回シフト及び複素値変調シンボルの少なくとも１つが、スケジューリング要求及び２ビットの送達確認信号の（０，０）にマップされた巡回シフト及び複素値変調シンボルの少なくとも１つと、が等しく、スケジューリング要求及び１ビットの送達確認信号の値１にマップされた巡回シフト及び複素値変調シンボルの少なくとも１つと、スケジューリング要求及び２ビットの送達確認信号の（１，０）にマップされた巡回シフト及び複素値変調シンボルの少なくとも１つと、が等しくてもよい。
【０２３１】
また、制御部４０１は、前記少なくとも１つの下り共有チャネルに対して動的な送達確認信号コードブックを用いることを設定されたか否か、前記下り共有チャネルに基づく送達確認信号のビット数、前記少なくとも１つの下りリンク割り当てが１つの周波数リソースによって送信されるか否か、前記少なくとも１つの下り共有チャネルのコードワード数（及び／又はトランスポートブロック数、又はＭＩＭＯレイヤ数）、の少なくとも１つに基づいて、前記上り制御チャネルフォーマット及び前記マッピングの少なくとも１つを決定することを特徴とする請求項１に記載のユーザ端末。
【０２３２】
また、少なくとも１つの下りリンク割り当てが、異なる時間リソースに割り当てられた複数の下り制御チャネルである場合、前記複数の下り制御チャネルのそれぞれに含まれる下りリンク割り当て指示子（例えば、トータルＤＡＩ）は、前記複数の下り制御チャネルの数を示してもよい。
【０２３３】
送信信号生成部４０２は、制御部４０１からの指示に基づいて、上り信号（上り制御信号、上りデータ信号、上り参照信号など）を生成して、マッピング部４０３に出力する。送信信号生成部４０２は、本発明に係る技術分野での共通認識に基づいて説明される信号生成器、信号生成回路又は信号生成装置から構成することができる。
【０２３４】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０２３５】
マッピング部４０３は、制御部４０１からの指示に基づいて、送信信号生成部４０２で生成された上り信号を無線リソースにマッピングして、送受信部２０３へ出力する。マッピング部４０３は、本発明に係る技術分野での共通認識に基づいて説明されるマッパー、マッピング回路又はマッピング装置から構成することができる。
【０２３６】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０２３７】
受信信号処理部４０４は、受信処理により復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０２３８】
測定部４０５は、受信した信号に関する測定を実施する。測定部４０５は、本発明に係る技術分野での共通認識に基づいて説明される測定器、測定回路又は測定装置から構成することができる。
【０２３９】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ）、信号強度（例えば、ＲＳＳＩ）、伝搬路情報（例えば、ＣＳＩ）などについて測定してもよい。測定結果は、制御部４０１に出力されてもよい。
【０２４０】
＜ハードウェア構成＞
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０２４１】
例えば、本発明の一実施形態における無線基地局、ユーザ端末などは、本発明の無線通信方法の処理を行うコンピュータとして機能してもよい。図１６は、本発明の一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２４２】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０２４３】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０２４４】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０２４５】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０２４６】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０２４７】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０２４８】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２４９】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０２５０】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２５１】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２５２】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２５３】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２５４】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０２５５】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０２５６】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２５７】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２５８】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０２５９】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２６０】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０２６１】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２６２】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２６３】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２６４】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２６５】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２６６】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２６７】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２６８】
また、情報、信号などは、上位レイヤから下位レイヤ、及び／又は下位レイヤから上位レイヤへ出力され得る。情報、信号などは、複数のネットワークノードを介して入出力されてもよい。
【０２６９】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２７０】
情報の通知は、本明細書において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２７１】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２７２】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２７３】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２７４】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２７５】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２７６】
本明細書において使用する「システム」及び「ネットワーク」という用語は、互換的に使用される。
【０２７７】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２７８】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２７９】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２８０】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２８１】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０２８２】
同様に、本明細書におけるユーザ端末は、無線基地局で読み替えてもよい。この場合、上述のユーザ端末２０が有する機能を無線基地局１０が有する構成としてもよい。
【０２８３】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２８４】
本明細書において説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２８５】
本明細書において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２８６】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２８７】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０２８８】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２８９】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０２９０】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０２９１】
本明細書において、「ＡとＢが異なる」という用語は、「ＡとＢが互いに異なる」ことを意味してもよい。「離れる」、「結合される」などの用語も同様に解釈されてもよい。
【０２９２】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２９３】
以上、本発明について詳細に説明したが、当業者にとっては、本発明が本明細書中に説明した実施形態に限定されないということは明らかである。本発明は、請求の範囲の記載に基づいて定まる本発明の趣旨及び範囲を逸脱することなく修正及び変更態様として実施することができる。したがって、本明細書の記載は、例示説明を目的とし、本発明に対して何ら制限的な意味をもたらさない。
【図１】
2019163138.tif 000005
【図２】
2019163138.tif 000006
【図３】
2019163138.tif 000007
【図４】
2019163138.tif 000008
【図５】
2019163138.tif 000009
【図６】
2019163138.tif 000010
【図７】
2019163138.tif 000011
【図８】
2019163138.tif 000012
【図９】
2019163138.tif 000013
【図１０】
2019163138.tif 000014
【図１１】
2019163138.tif 000015
【図１２】
2019163138.tif 000016
【図１３】
2019163138.tif 000017
【図１４】
2019163138.tif 000018
【図１５】
2019163138.tif 000019
【図１６】
2019163138.tif 000020
【国際調査報告】
2019163138.tif 000021
2019163138.tif 000022
2019163138.tif 000023
2019163138.tif 000024